(57)【特許請求の範囲】
【請求項１】
基地局におけるワイヤレス通信のための方法であって、
前記基地局によって、クリアチャネルアセスメント（ＣＣＡ）を実施する前のＣＣＡ持続時間と等価な少なくとも１つの持続時間の間のチャネルを測定することと、
前記基地局によって、前記測定することに少なくとも部分的に基づいて前記少なくとも１つの持続時間の間の前記チャネルのチャネル状態を決定することと、
前記基地局によって、前記ＣＣＡを実施する前に、前記ＣＣＡに続く前記基地局からの送信に関連付けられた送信電力または前記ＣＣＡのＣＣＡしきい値レベルのうちの少なくとも１つを調整することと、ここにおいて、前記調整することは、前記決定されたチャネル状態に少なくとも部分的に基づく、
前記基地局によって、前記調整することに少なくとも部分的に基づいて前記ＣＣＡを実施することと、ここにおいて、前記ＣＣＡは、前記少なくとも１つの持続時間に後続して、および前記基地局によって使用するために識別されたＯＦＤＭシンボル期間の間に、実施される、
を備える方法。
【請求項２】
前記調整することが、
前記チャネル状態に基づいて前記送信電力を調整することと、ここにおいて、前記調整された送信電力は、最大送信電力である、
前記調整された送信電力に基づいて前記ＣＣＡしきい値レベルを調整することと
を備える、請求項１に記載の方法。
【請求項３】
前記調整された送信電力よりも高い送信電力を使用して１つまたは複数の制御信号を送信することと、
前記調整された送信電力でデータ信号を送信することと
をさらに備える、請求項２に記載の方法。
【請求項４】
前記１つまたは複数の制御信号が、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）のうちの少なくとも１つを備える、請求項３に記載の方法。
【請求項５】
前記調整することが、
前記チャネル状態に基づいて前記ＣＣＡしきい値レベルを調整することと、
前記調整されたＣＣＡしきい値レベルに基づいて前記送信電力を調整することと
を備える、請求項１に記載の方法。
【請求項６】
前記決定されたチャネル状態に基づいて変調およびコーディング方式（ＭＣＳ）を調整すること
をさらに備える、請求項１に記載の方法。
【請求項７】
前記決定することが、
複数のＣＣＡ持続時間の間の前記チャネルの前記チャネル状態を監視することと、
後続のＣＣＡ持続時間についての予想されるチャネル状態を決定することと
を備える、請求項１に記載の方法。
【請求項８】
ＣＣＡを実施するために使用されるべき複数のアンテナのうちの少なくとも１つのアンテナを選択すること
をさらに備える、請求項１に記載の方法。
【請求項９】
前記ＣＣＡを実施することは、前記選択されたアンテナを使用して１つまたは複数のＣＣＡを実施することを備え、前記方法は、
前記１つまたは複数のＣＣＡの間の前記チャネル上のエネルギーが前記ＣＣＡしきい値レベルを超えるとき、前記チャネルが送信に利用できないと決定することと、
前記チャネル上の前記エネルギーが前記ＣＣＡしきい値レベル未満であるとき、前記チャネルが送信に利用できると決定することと
をさらに備える、請求項８に記載の方法。
【請求項１０】
前記決定することが、
複数のＣＣＡ持続時間の間の前記複数のアンテナの各々についての複数のチャネル状態を監視することと、
後続のＣＣＡ持続時間についての監視されたアンテナごとの複数の予想されるチャネル状態を決定することと
を備える、請求項８に記載の方法。
【請求項１１】
前記決定することが、
複数のＣＣＡ持続時間の間の複数のチャネル状態測定値に基づいて、前記チャネル状態についての少なくとも１つの統計値を決定すること
を備える、請求項１に記載の方法。
【請求項１２】
前記少なくとも１つの統計値が、累積分布関数（ＣＤＦ）を含む、請求項１１に記載の方法。
【請求項１３】
前記少なくとも１つの統計値を異なる基地局に送信すること
をさらに備える、請求項１１に記載の方法。
【請求項１４】
前記調整することが、
アップリンク送信に使用されるべき、前記調整された送信電力、調整されたＣＣＡしきい値、または変調およびコーディング方式（ＭＣＳ）のうちの１つまたは複数を受信すること、ここにおいて、前記１つまたは複数の調整された送信電力、調整されたＣＣＡしきい値、またはＭＣＳが、半静的にまたは動的に受信される、
を備える、請求項１３に記載の方法。
【請求項１５】
基地局におけるワイヤレス通信のための装置であって、
前記基地局によって、クリアチャネルアセスメント（ＣＣＡ）を実施する前のＣＣＡ持続時間と等価な少なくとも１つの持続時間の間のチャネルを測定するための手段と、
前記基地局によって、前記測定することに少なくとも部分的に基づいて前記少なくとも１つの持続時間の間の前記チャネルのチャネル状態を決定するための手段と、
前記基地局によって、前記ＣＣＡを実施する前に、前記ＣＣＡに続く前記基地局からの送信に関連付けられた送信電力または前記ＣＣＡのＣＣＡしきい値レベルのうちの少なくとも１つを調整するための手段と、ここにおいて、前記調整することは、前記決定されたチャネル状態に少なくとも部分的に基づく、
前記基地局によって、前記調整することに少なくとも部分的に基づいて前記ＣＣＡを実施するための手段と、ここにおいて、前記ＣＣＡは、前記少なくとも１つの持続時間に後続して、および前記基地局によって使用するために識別されたＯＦＤＭシンボル期間の間に、実施される、
を備える装置。
【請求項１６】
調整するための前記手段が、
前記チャネル状態に基づいて前記送信電力を調整するための手段と、ここにおいて、前記調整された送信電力は、最大送信電力である、
前記調整された送信電力に基づいて前記ＣＣＡしきい値レベルを調整するための手段と
を備える、請求項１５に記載の装置。
【請求項１７】
前記調整された送信電力よりも高い送信電力を使用して１つまたは複数の制御信号を送信し、前記調整された送信電力でデータ信号を送信するための手段
をさらに備える、請求項１６に記載の装置。
【請求項１８】
前記１つまたは複数の制御信号が、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）のうちの少なくとも１つを備える、請求項１７に記載の装置。
【請求項１９】
調整するための前記手段が、
前記チャネル状態に基づいて前記ＣＣＡしきい値レベルを調整するための手段と、
前記調整されたＣＣＡしきい値レベルに基づいて前記送信電力を調整するための手段と
を備える、請求項１５に記載の装置。
【請求項２０】
前記決定されたチャネル状態に基づいて変調およびコーディング方式（ＭＣＳ）を調整するための手段
をさらに備える、請求項１５に記載の装置。
【請求項２１】
決定するための前記手段が、
複数のＣＣＡ持続時間の間の前記チャネルの前記チャネル状態を監視するための手段と、
後続のＣＣＡ持続時間ついての予想されるチャネル状態を決定するための手段と
を備える、請求項１５に記載の装置。
【請求項２２】
基地局におけるワイヤレス通信のための装置であって、
プロセッサと、
前記プロセッサに結合されたメモリとを備え、ここにおいて、前記プロセッサが、
前記基地局によって、クリアチャネルアセスメント（ＣＣＡ）を実施する前のＣＣＡ持続時間と等価な少なくとも１つの持続時間の間のチャネルを測定し、
前記基地局によって、前記測定することに少なくとも部分的に基づいて前記少なくとも１つの持続時間の間の前記チャネルのチャネル状態を決定し、
前記基地局によって、前記ＣＣＡを実施する前に、前記ＣＣＡに続く前記基地局からの送信に関連付けられた送信電力または前記ＣＣＡのＣＣＡしきい値レベルのうちの少なくとも１つを調整し、ここにおいて、前記調整することは、前記決定されたチャネル状態に少なくとも部分的に基づく
前記基地局によって、前記調整することに少なくとも部分的に基づいて前記ＣＣＡを実施する、ここにおいて、前記ＣＣＡは、前記少なくとも１つの持続時間に後続して、および前記基地局によって使用するために識別されたＯＦＤＭシンボル期間の間に、実施される、
ように構成される、装置。
【請求項２３】
前記プロセッサが、
前記チャネル状態に基づいて前記送信電力を調整し、ここにおいて、前記調整された送信電力は、最大送信電力である、
前記調整された送信電力に基づいて前記ＣＣＡしきい値レベルを調整する
ようにさらに構成される、請求項２２に記載の装置。
【請求項２４】
前記プロセッサが、前記調整された送信電力よりも高い送信電力を使用して１つまたは複数の制御信号を送信し、前記調整された送信電力でデータ信号を送信するようにさらに構成される、請求項２３に記載の装置。
【請求項２５】
前記プロセッサが、
前記チャネル状態に基づいて前記ＣＣＡしきい値レベルを調整し、
前記調整されたＣＣＡしきい値レベルに基づいて前記送信電力を調整する
ようにさらに構成される、請求項２２に記載の装置。
【請求項２６】
前記プロセッサが、前記決定されたチャネル状態に基づいて変調およびコーディング方式（ＭＣＳ）を調整するようにさらに構成される、請求項２２に記載の装置。
【請求項２７】
前記プロセッサが、
複数のＣＣＡ持続時間の間の前記チャネル状態を監視し、
後続のＣＣＡ持続時間についての予想されるチャネル状態を決定する
ようにさらに構成される、請求項２２に記載の装置。
【請求項２８】
前記プロセッサが、ＣＣＡを実施するために使用されるべき複数のアンテナのうちの少なくとも１つのアンテナを選択するようにさらに構成される、請求項２２に記載の装置。
【請求項２９】
基地局における、プロセッサによって実行可能な命令を記憶するための非一時的コンピュータ可読媒体であって、
前記基地局によって、クリアチャネルアセスメント（ＣＣＡ）を実施する前のＣＣＡ持続時間と等価な少なくとも１つの持続時間の間のチャネルを測定するための命令と、
前記基地局によって、前記測定することに少なくとも部分的に基づいて前記少なくとも１つの持続時間の間の前記チャネルのチャネル状態を決定するための命令と、
前記基地局によって、前記ＣＣＡを実施する前に、前記ＣＣＡに続く前記基地局からの送信に関連付けられた送信電力または前記ＣＣＡのＣＣＡしきい値レベルのうちの少なくとも１つを調整するための命令と、ここにおいて、前記調整することは、前記決定されたチャネル状態に少なくとも部分的に基づく、
前記基地局によって、前記調整することに少なくとも部分的に基づいて前記ＣＣＡを実施するための命令と、ここにおいて、前記ＣＣＡは、前記少なくとも１つの持続時間に後続して、および前記基地局によって使用するために識別されたＯＦＤＭシンボル期間の間に、実施される、
を備える非一時的コンピュータ可読媒体。
【請求項３０】
前記命令が、
前記チャネル状態に基づいて前記送信電力を調整するための命令と、ここにおいて、前記調整された送信電力は、最大送信電力である、
前記調整された送信電力に基づいて前記ＣＣＡしきい値レベルを調整するための命令と
に対して前記プロセッサによってさらに実行可能である、請求項２９に記載の非一時的コンピュータ可読媒体。
【発明の詳細な説明】
【技術分野】
【０００１】
相互参照
[0001]本特許出願は、各々が本出願の譲受人に譲渡された、２０１５年６月１８日に出願された「Improving CCA Clearance in Unlicensed Spectrum」と題するＤａｂｅｅｒらによる米国特許出願第１４／７４３，３１２号、および２０１４年６月２４日に出願された「Improving CCA Clearance in Unlicensed Spectrum」と題するＤａｂｅｅｒらによる米国仮特許出願第６２／０１６，６２８号の優先権を主張する。
【０００２】
[0002]以下は、一般にワイヤレス通信に関し、より詳細には、アンライセンス無線周波数スペクトル帯域（unlicensed radio frequency spectrum band）を使用するときのクリアチャネルアセスメント技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、各々が複数のワイヤレスデバイス（たとえば、モバイルフォンまたはタブレットコンピュータ）のための通信を同時にサポートする、いくつかの基地局を含み得る。基地局は、（たとえば、基地局からワイヤレスデバイスへの送信のために）ダウンリンクチャネル上で、および（たとえば、ワイヤレスデバイスから基地局への送信のために）アップリンクチャネル上で、ワイヤレスデバイスと通信し得る。
【０００５】
[0005]いくつかの通信モードは、セルラーネットワークの異なる無線周波数スペクトル帯域（たとえば、ライセンス無線周波数スペクトル帯域（licensed radio frequency spectrum band）またはアンライセンス無線周波数スペクトル帯域（unlicensed radio frequency spectrum band））を介したワイヤレスデバイスとの通信を可能にし得る。ライセンス無線周波数スペクトル帯域を使用するセルラーネットワークにおけるデータトラフィックの増加に伴い、少なくともいくつかのデータトラフィックをアンライセンス無線周波数スペクトル帯域にオフロードすることは、拡張されたデータ送信容量の機会をワイヤレス通信システム事業者に提供し得る。アンライセンス無線周波数スペクトル帯域は、送信装置が、いくつかの例では、アンライセンス無線周波数スペクトル帯域へのアクセスを求めて競合するために、リッスンビフォアトーク（ＬＢＴ：listen before talk）手順を実施し得る、１つまたは複数の競合ベースの通信チャネルを提供し得る。ＬＢＴ手順は、アンライセンス無線周波数スペクトル帯域のチャネルが利用可能であるかどうかを決定するためにクリアチャネルアセスメント（ＣＣＡ：clear channel assessment）を実施することを含み得る。（たとえば、別のデバイスがアンライセンス無線周波数スペクトル帯域のチャネルをすでに使用しているので）アンライセンス無線周波数スペクトル帯域のチャネルが利用できないと決定されると、後で再びそのチャネルについてＣＣＡが実施され得る。アンライセンス無線周波数スペクトル帯域のチャネルが利用可能である、すなわちクリアであると決定されると、チャネル使用ビーコン信号（ＣＵＢＳ：channel usage beacon signal）は、ダウンリンク送信またはアップリンク送信がそのチャネルを介して行われ得るまでそのチャネルを予約するために、そのチャネルを介して送信され得る。
【発明の概要】
【０００６】
[0006]本開示は一般に、競合手順がパスする可能性を改善し、デバイスが競合ベースのチャネルを使用してアップリンク送信またはダウンリンク送信を送信するのを可能にし得る、競合ベースのチャネルアクセスのための１つまたは複数の改善された技法に関する。競合ベースのチャネルは、たとえば、ＣＣＡ手順を通じてアクセスされ得るアンライセンス無線周波数スペクトル帯域のチャネルであり得る。より詳細には、様々な開示される技法は、１つまたは複数のＣＣＡ持続時間（CCA time durations）の間のまたはＣＣＡ持続時間に等しい他の持続時間の間のチャネル特性に基づいて、後続の送信のための送信電力を決定する。送信電力は、デバイスがＣＣＡ手順の間のチャネルを求める競合に勝つ可能性を高め得るＣＣＡしきい値を提供するために選択され得る。特定の例では、送信電力は、チャネルを使用する他のデバイスに対する干渉を回避する電力で送信することによって送信デバイスが常に競合に勝つように設定され得る。データ送信は、低減された電力を使用して送信され得、同期信号または基準信号などの制御信号は、そのような信号の受信の可能性を高めるために、より高い電力で送信され得る。いくつかの例では、チャネル状態は、いくつかの異なるアンテナについて監視され得、後続の送信のためのアンテナのセットは、ＣＣＡが成功する可能性がより高い関連するチャネルに基づいて選択され得る。
【０００７】
[0007]例示的な例の第１のセットでは、ワイヤレス通信のための方法が説明される。一例では、方法は、クリアチャネルアセスメント（ＣＣＡ）持続時間についてのチャネル状態を決定することと、決定することに基づいて送信電力またはＣＣＡしきい値レベルのうちの少なくとも１つを調整することとを含み得る。
【０００８】
[0008]方法のいくつかの例では、調整することは、チャネル状態に基づいて送信電力を調整することと、調整された送信電力に基づいてＣＣＡしきい値レベルを調整することとを含み得る。追加または代替として、調整することは、チャネル状態に基づいてＣＣＡしきい値レベルを調整することと、調整されたＣＣＡしきい値レベルに基づいて送信電力を調整することとを含み得る。
【０００９】
[0009]特定の例では、方法はまた、決定されたチャネル状態に基づいて、変調およびコーディング方式（ＭＣＳ）を調整することを含み得る。追加または代替として、方法はまた、ＣＣＡの間のチャネル上のエネルギーが調整されたＣＣＡしきい値レベルを超えるとき、チャネルが送信に利用できないと決定することと、チャネル上のエネルギーが調整されたＣＣＡしきい値レベル未満であるとき、チャネルが送信に利用できると決定することとを含み得る。
【００１０】
[0010]方法はまた、特定の例では、調整されていない送信電力を使用して１つまたは複数の制御信号を送信することと、調整された送信電力でデータ信号を送信することとを含み得る。そのような制御信号は、たとえば、プライマリ同期信号（ＰＳＳ）、セカンダリ同期信号（ＳＳＳ）、マスタ情報ブロック（ＭＩＢ）、システム情報ブロック（ＳＩＢ）、共通基準信号（ＣＲＳ）、またはそれらの組合せを含み得る。
【００１１】
[0011]方法のいくつかの例では、決定することは、複数のＣＣＡ持続時間の間のチャネル状態を監視することと、後続のＣＣＡタイムスロットについての予想されるチャネル状態を決定することとを含み得る。方法の特定の例では、方法はまた、ＣＣＡを実施するために使用されるべき複数のアンテナのうちの少なくとも１つのアンテナを選択することと、選択されたアンテナを使用してＣＣＡを実施することと、ＣＣＡの間のチャネル上のエネルギーがＣＣＡしきい値レベルを超えるとき、チャネルが送信に利用できないと決定することと、チャネル上のエネルギーがＣＣＡしきい値レベル未満であるとき、チャネルが送信に利用できると決定することとを含み得る。決定することは、例では、複数のＣＣＡ持続時間の間の複数のアンテナの各々におけるチャネル状態を監視することと、後続のＣＣＡ持続時間についての監視されたアンテナごとの予想されるチャネル状態を決定することとを含み得る。
【００１２】
[0012]方法の特定の例では、決定することは、複数のＣＣＡ持続時間の間の複数のチャネル状態測定値に基づいて、チャネル状態についての少なくとも１つの統計値を決定することを含み得る。少なくとも１つの統計値は、たとえば、累積分布関数（ＣＤＦ）を含み得る。いくつかの例では、方法はまた、少なくとも１つの統計値を基地局に送信することを含み得、調整することは、アップリンク送信に使用されるべき、調整された送信電力、調整されたＣＣＡしきい値、または変調およびコーディング方式（ＭＣＳ）のうちの１つまたは複数を受信することとを含み得る。１つまたは複数の調整された送信電力、調整されたＣＣＡしきい値、またはＭＣＳは、たとえば、半静的にまたは動的に受信され得る。
【００１３】
[0013]例示的な例の第２のセットでは、ワイヤレス通信のための装置が説明される。１つの構成では、装置は、クリアチャネルアセスメント（ＣＣＡ）持続時間についてのチャネル状態を決定するための手段と、決定することに基づいて送信電力またはＣＣＡしきい値レベルのうちの少なくとも１つを調整するための手段とを含み得る。いくつかの例では、本装置は、例示的な例の第１のセットに関して上記で説明されたワイヤレス通信のための方法の１つまたは複数の態様を実装するための手段をさらに含み得る。
【００１４】
[0014]例示的な例の第３のセットでは、ワイヤレス通信のための別の装置が説明される。１つの構成では、本装置は、プロセッサと、プロセッサと電子通信しているメモリと、メモリに記憶された命令とを含み得る。命令は、クリアチャネルアセスメント（ＣＣＡ）持続時間についてのチャネル状態を決定し、決定に基づいて送信電力またはＣＣＡしきい値レベルのうちの少なくとも１つを調整するようにプロセッサによって実行可能であり得る。いくつかの例では、命令はまた、例示的な例の第１のセットに関して上記で説明されたワイヤレス通信のための方法の１つまたは複数の態様を実装するようにプロセッサによって実行可能であり得る。
【００１５】
[0015]例示的な例の第４のセットでは、ワイヤレス通信のためのコードを記憶する非一時的コンピュータ可読媒体が説明される。コードは、クリアチャネルアセスメント（ＣＣＡ）持続時間についてのチャネル状態を決定し、決定に基づいて送信電力またはＣＣＡしきい値レベルのうちの少なくとも１つを調整するようにプロセッサによって実行可能な命令を含み得る。いくつかの例では、命令はまた、例示的な例の第１のセットに関して上記で説明されたワイヤレス通信のための方法の１つまたは複数の態様を実装することをワイヤレス通信装置に行わせるようにプロセッサによって実行可能であり得る。
【００１６】
[0016]上記では、以下の発明を実施するための形態がより良く理解され得るように、本開示による例の特徴および技術的利点をかなり広範に概説した。追加の特徴および利点が以下で説明される。開示される概念および具体例は、本開示の同じ目的を実施するための他の構造を修正または設計するための基礎として容易に利用され得る。そのような等価な構成は、添付の特許請求の範囲の趣旨および範囲から逸脱しない。本明細書で開示される概念を特徴づけると考えられる特徴は、それらの編成と動作方法の両方に関して、関連する利点とともに、添付の図に関連して以下の説明を検討するとより良く理解されよう。図の各々は、例示および説明のみのために与えられるものであり、特許請求の範囲の限定の定義として与えられるものではない。
【００１７】
[0017]本開示の性質および利点のさらなる理解は、以下の図面を参照することによって実現され得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００１８】
【図１】[0018]本開示の様々な態様による、ワイヤレス通信システムのブロック図。
【図２】[0019]本開示の様々な態様による、アンライセンス無線周波数スペクトル帯域を使用する異なるシナリオの下でＬＴＥ（登録商標）／ＬＴＥ−Ａが展開されるワイヤレス通信システムを示す図。
【図３】[0020]本開示の様々な態様による、アンライセンス無線周波数スペクトル帯域におけるセルラーダウンリンクのためのゲーティング間隔（またはＬＢＴ無線フレーム）の例を示す図。
【図４】[0021]本開示の様々な態様による、アンライセンス無線周波数スペクトル帯域を介したワイヤレス通信の一例を示す図。
【図５】[0022]本開示の様々な態様による、アンライセンス無線周波数スペクトル帯域を介したワイヤレス通信の一例を示す図。
【図６】[0023]本開示の様々な態様による、ワイヤレス通信のための方法の一例を示すフローチャート。
【図７】[0024]本開示の様々な態様による、ワイヤレス通信のための方法の一例を示すフローチャート。
【図８】[0025]本開示の様々な態様による、ワイヤレス通信のための方法の一例を示すフローチャート。
【図９】[0026]本開示の様々な態様による、基地局（たとえば、ｅＮＢの一部または全部を形成する基地局）とワイヤレスデバイスとの間のメッセージフローを示す図。
【図１０】[0027]本開示の様々な態様による、ワイヤレス通信において使用するための装置のブロック図。
【図１１】[0028]本開示の様々な態様による、ワイヤレス通信において使用するための装置のブロック図。
【図１２】[0029]本開示の様々な態様による、ワイヤレス通信において使用するための別の装置のブロック図。
【図１３】[0030]本開示の様々な態様による、ワイヤレス通信において使用するためのワイヤレスデバイス（たとえば、１つまたは複数の基地局と通信することが可能なＵＥ）のブロック図。
【図１４】[0031]本開示の様々な態様による、ワイヤレス通信において使用するための基地局（たとえば、ｅＮＢの一部または全部を形成する基地局）のブロック図。
【図１５】[0032]本開示の様々な態様による、ワイヤレス通信のための方法の一例を示すフローチャート。
【図１６】[0033]本開示の様々な態様による、ワイヤレス通信のための方法の一例を示すフローチャート。
【図１７】[0034]本開示の様々な態様による、ワイヤレス通信のための方法の一例を示すフローチャート。
【発明を実施するための形態】
【００１９】
[0035]アンライセンス無線周波数スペクトル帯域を介したアップリンク送信およびダウンリンク送信のための競合ベースのチャネルアクセスを得る可能性が高まり得る技法が説明される。いくつかの例では、アンライセンス無線周波数スペクトル帯域は、セルラー通信（たとえば、ロングタームエボリューション（ＬＴＥ）通信またはＬＴＥアドバンスト（ＬＴＥ−Ａ）通信）のために使用され得る。いくつかの例では、アンライセンス無線周波数スペクトル帯域は、無線周波数スペクトル帯域が少なくとも部分的にＷｉ−Ｆｉ（登録商標）用途などのアンライセンス用途に利用可能であるので、装置がアクセスを求めて競合する必要があり得る、無線周波数スペクトル帯域であり得る。
【００２０】
[0036]ライセンス無線周波数スペクトル帯域を使用するセルラーネットワークにおけるデータトラフィックの増加に伴い、少なくともいくつかのデータトラフィックをアンライセンス無線周波数スペクトル帯域にオフロードすることは、拡張されたデータ送信容量の機会をセルラー事業者（たとえば、パブリックランドモバイルネットワーク（ＰＬＭＮ）またはＬＴＥ／ＬＴＥ−Ａネットワークなどのセルラーネットワークを定義する基地局の協調セットの事業者）に提供し得る。アンライセンス無線周波数スペクトル帯域にアクセスし、アンライセンス無線周波数スペクトル帯域を介して通信する前に、送信装置は、いくつかの例では、アンライセンス無線周波数スペクトル帯域にアクセスするために、ＬＢＴ手順を実施し得る。そのようなＬＢＴ手順は、アンライセンス無線周波数スペクトル帯域のチャネルが利用可能であるかどうかを決定するために（いくつかの例では、拡張ＣＣＡを含む）ＣＣＡを実施することを含み得る。チャネルが利用可能ではないと決定されると、後で再びそのチャネルについてＣＣＡが実施され得る。
【００２１】
[0037]様々な開示される技法は、ＣＣＡが成功した場合、１つまたは複数の現在のもしくは以前のＣＣＡ持続時間（またはＣＣＡ持続時間に等しい他の持続時間）の間のチャネル特性に基づいて、後続の送信のための送信電力を決定し得る。送信電力は、たとえば、デバイスがＣＣＡ手順の間のチャネルを求める競合に勝つ可能性を高め得るＣＣＡしきい値を提供するために選択され得る。特定の例では、送信電力は、チャネルを使用する他のデバイスに対する干渉を回避する電力で送信することによって送信デバイスが常に競合に勝つように設定され得る。いくつかの例では、データ送信は、低減された電力を使用して送信され得、同期信号または基準信号などの制御信号は、そのような信号の受信の可能性を高めるために、より高い電力で送信され得る。いくつかの例では、チャネル状態は、いくつかの異なるアンテナについて監視され得、ＣＣＡが成功する可能性がより高い関連するチャネルに基づいて、後続の送信のためのアンテナが選択される。追加または代替として、変調およびコーディング方式（ＭＣＳ）は、決定されたチャネル状態に基づいて調整され得る。
【００２２】
[0038]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、上述のシステムおよび無線技術、ならびに他のシステムおよび無線技術に使用され得る。しかしながら、以下の説明は、例としてＬＴＥシステムについて説明し、以下の説明の大部分においてＬＴＥ用語が使用されるが、本技法はＬＴＥ用途以外に適用可能である。
【００２３】
[0039]以下の説明は例を与えるものであり、特許請求の範囲に記載される範囲、適用可能性、または例を限定するものではない。本開示の趣旨および範囲から逸脱することなく、説明される要素の機能および配置において変更が行われ得る。様々な例は、適宜に様々な手順または構成要素を省略、置換、または追加し得る。たとえば、説明される方法は、説明される順序とは異なる順序で実施され得、様々なステップが追加、省略、または組み合わされ得る。また、いくつかの例に関して説明される特徴は、他の例において組み合わされ得る。
【００２４】
[0040]図１は、本開示の様々な態様による、ワイヤレス通信システム１００のブロック図を示す。ワイヤレス通信システム１００は、複数の基地局１０５（たとえば、１つまたは複数のｅＮＢの一部または全部を形成する基地局）と、いくつかのワイヤレスデバイス１１５（たとえば、ユーザ機器（ＵＥ））と、コアネットワーク１３０とを含み得る。基地局１０５のうちのいくつかは、様々な例ではコアネットワーク１３０の一部または基地局１０５のうちのいくつかであり得る、基地局コントローラ（図示せず）の制御下でワイヤレスデバイス１１５と通信し得る。基地局１０５のうちのいくつかは、バックホール１３２を通じてコアネットワーク１３０と制御情報またはユーザデータを通信し得る。いくつかの例では、基地局１０５のうちのいくつかは、ワイヤードまたはワイヤレス通信リンクであり得るバックホールリンク１３４を介して、直接または間接的にのいずれかで、互いと通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２５】
[0041]基地局１０５は、１つまたは複数の基地局アンテナを介してワイヤレスデバイス１１５とワイヤレス通信し得る。基地局１０５の各々は、それぞれのカバレージエリア１１０に通信カバレージを与え得る。いくつかの例では、基地局１０５は、アクセスポイント、基地トランシーバ局（ＢＴＳ）、無線基地局、無線トランシーバ、基本サービスセット（ＢＳＳ）、拡張サービスセット（ＥＳＳ）、ノードＢ、発展型ノードＢ（ｅＮＢ）、ホームノードＢ、ホームｅノードＢ、ワイヤレスローカルエリアネットワーク（ＷＬＡＮ）アクセスポイント、ＷｉＦｉノード、または何らかの他の適切な用語で呼ばれることがある。基地局１０５のためのカバレージエリア１１０は、カバレージエリアの一部分のみを構成するセクタに分割され得る。ワイヤレス通信システム１００は、異なるタイプの基地局１０５（たとえば、マクロ基地局、マイクロ基地局、またはピコ基地局）を含み得る。基地局１０５はまた、セルラーまたはＷＬＡＮ無線アクセス技術などの異なる無線技術を利用し得る。基地局１０５は、同じまたは異なるアクセスネットワークまたは事業者展開（たとえば、本明細書ではまとめて「事業者」と呼ばれる）に関連付けられ得る。同じもしくは異なるタイプの基地局１０５のカバレージエリアを含み、同じもしくは異なる無線技術を利用し、または同じもしくは異なるアクセスネットワークに属する、異なる基地局１０５のカバレージエリアは重複し得る。
【００２６】
[0042]いくつかの例では、ワイヤレス通信システム１００は、ＬＴＥ／ＬＴＥ−Ａ通信システム（またはネットワーク）を含み得、そのＬＴＥ／ＬＴＥ−Ａ通信システムは、ライセンス無線周波数スペクトル帯域（たとえば、ＬＴＥ／ＬＴＥ−Ａ通信に使用可能なライセンス無線周波数スペクトル帯域など、無線周波数スペクトル帯域が特定の用途のために特定のユーザにライセンスされているので、装置がアクセスを求めて競合しない無線周波数スペクトル帯域）またはアンライセンス無線周波数スペクトル帯域（たとえば、無線周波数スペクトル帯域がＷｉ−Ｆｉ用途などのアンライセンス用途のために利用可能であるので、装置がアクセスを求めて競合する必要があり得る無線周波数スペクトル帯域）における１つまたは複数の動作モードまたは展開をサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、発展型ノードＢまたはｅＮＢという用語は、たとえば、基地局１０５の複数またはグループを表すために使用され得る。
【００２７】
[0043]競合ベースのチャネルアクセスを使用する例では、基地局１０５またはワイヤレスデバイス１１５は、ダウンリンク送信またはアップリンク送信のための競合ベースのチャネルアクセスを得る可能性を高めるための１つまたは複数の技法を用い得る。いくつかの例では、基地局１０５またはワイヤレスデバイス１１５は、ＣＣＡに使用され得る時間期間の間のアンライセンス無線周波数スペクトル帯域の１つまたはいくつかのチャネルについてのチャネル状態を決定し得る。観測されたチャネル状態に基づいて、送信デバイス、すなわち、基地局１０５またはワイヤレスデバイス１１５は、ＣＣＡ手順を通じてチャネルアクセスを得るまたは確率が高まるように、送信電力、ＣＣＡしきい値レベル、変調およびコーディング方式（ＭＣＳ）、または送信アンテナを調整し得る。そのような技法の様々な例が、以下でより詳細に説明される。
【００２８】
[0044]ワイヤレス通信システム１００は、異なるタイプの基地局１０５が様々な地理的領域にカバレージを与える、異種ＬＴＥ／ＬＴＥ−Ａネットワークであるか、またはそれを含み得る。たとえば、各基地局１０５は、マクロセル、ピコセル、フェムトセル、または他のタイプのセルに通信カバレージを与え得る。ピコセル、フェムトセル、または他のタイプのセルなどのスモールセルは、低電力ノードすなわちＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的より小さい地理的エリアをカバーし、ネットワークプロバイダのサービスに加入しているＵＥによる無制限アクセスを可能にし得る。また、フェムトセルは、たとえば、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスも与え得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（たとえば、２つ、３つ、４つなどの）セルをサポートし得る。
【００２９】
[0045]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、またはバックホール１３２を介して（たとえば、コアネットワーク１３０を通じて）、直接または間接的に互いと通信し得る。ワイヤレス通信システム１００は、同期動作または非同期動作をサポートし得る。同期動作の場合、ｅＮＢは同様のフレームタイミングまたはゲーティングタイミングを有し得、異なるｅＮＢからの送信は時間的にほぼアライメントされ得る。非同期動作の場合、ｅＮＢは異なるフレームタイミングまたはゲーティングタイミングを有し得、異なるｅＮＢからの送信は時間的にアライメントされないことがある。
【００３０】
[0046]ワイヤレスデバイス１１５は、ワイヤレス通信システム１００全体にわたって分散されていることがある。ワイヤレスデバイス１１５は、当業者によって、ＵＥ、モバイルデバイス、移動局、加入者局、モバイルユニット、加入者ユニット、ワイヤレスユニット、リモートユニット、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることもある。ワイヤレスデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、時計または眼鏡などのウェアラブルアイテム、ワイヤレスローカルループ（ＷＬＬ）局などであり得る。ワイヤレスデバイス１１５は、マクロｅＮＢ、ピコｅＮＢ、フェムトｅＮＢ、リレーなどと通信することが可能であり得る。ワイヤレスデバイス１１５はまた、セルラーもしくは他のワイヤレスワイドエリアネットワーク（ＷＷＡＮ）アクセスネットワーク、またはＷＬＡＮアクセスネットワークなど、異なるタイプのアクセスネットワークを介して通信することが可能であり得る。ワイヤレスデバイス１１５とのいくつかの通信モードでは、通信は複数の通信リンク１２５またはチャネル（すなわち、コンポーネントキャリア）を介して行われ得、各チャネルは、ワイヤレスデバイス１１５といくつかのセル（たとえば、サービングセル、これらのセルは場合によっては同じまたは異なる基地局１０５によって動作され得る）のうちの１つとの間のコンポーネントキャリアを使用する。
【００３１】
[0047]各コンポーネントキャリアは、ライセンス無線周波数スペクトル帯域またはアンライセンス無線周波数スペクトル帯域を介して提供され得、特定の通信モードで使用されるコンポーネントキャリアのセットは、すべて（たとえば、ワイヤレスデバイス１１５において）ライセンス無線周波数スペクトル帯域を介して受信されるか、すべて（たとえば、ワイヤレスデバイス１１５において）アンライセンス無線周波数スペクトル帯域を介して受信されるか、または（たとえば、ワイヤレスデバイス１１５において）ライセンス無線周波数スペクトル帯域とアンライセンス無線周波数スペクトル帯域の組合せを介して受信され得る。
【００３２】
[0048]ワイヤレス通信システム１００において示される通信リンク１２５は、アップリンク（ＵＬ）通信（たとえば、ワイヤレスデバイス１１５から基地局１０５への送信）を搬送するための（コンポーネントキャリアを使用する）アップリンクチャネルまたはダウンリンク（ＤＬ）通信（たとえば、基地局１０５からワイヤレスデバイス１１５への送信）を搬送するための（コンポーネントキャリアを使用する）ダウンリンクチャネルを含み得る。ＵＬ通信または送信は逆方向リンク通信または送信と呼ばれることもあり、ＤＬ通信または送信は順方向リンク通信または送信と呼ばれることもある。ダウンリンク通信またはアップリンク通信は、ライセンス無線周波数スペクトル帯域、アンライセンス無線周波数スペクトル帯域、またはその両方を使用して行われ得る。
【００３３】
[0049]ワイヤレス通信システム１００のいくつかの例では、ＬＴＥ／ＬＴＥ−Ａは、アンライセンス無線周波数スペクトル帯域を使用する異なるシナリオの下で展開され得る。展開シナリオは、ライセンス無線周波数スペクトル帯域におけるＬＴＥ／ＬＴＥ−Ａダウンリンク通信がアンライセンス無線周波数スペクトル帯域にオフロードされ得る補助ダウンリンクモード、ＬＴＥ／ＬＴＥ−Ａダウンリンク通信とＬＴＥ／ＬＴＥ−Ａアップリンク通信の両方がライセンス無線周波数スペクトル帯域からアンライセンス無線周波数スペクトル帯域にオフロードされ得るキャリアアグリゲーションモード、または、基地局１０５とワイヤレスデバイス１１５との間のＬＴＥ／ＬＴＥ−Ａダウンリンク通信およびＬＴＥ／ＬＴＥ−Ａアップリンク通信がアンライセンス無線周波数スペクトル帯域において行われ得るスタンドアロンモードを含み得る。基地局１０５ならびにワイヤレスデバイス１１５は、いくつかの例では、これらまたは同様の動作モードのうちの１つまたは複数をサポートし得る。ＯＦＤＭＡ波形は、ライセンス無線周波数スペクトル帯域またはアンライセンス無線周波数スペクトル帯域におけるＬＴＥ／ＬＴＥ−Ａダウンリンク通信のための通信リンク１２５において使用され得、ＯＦＤＭＡ波形、ＳＣ−ＦＤＭＡ波形またはリソースブロックインターリーブＦＤＭＡ波形は、ライセンス無線周波数スペクトル帯域またはアンライセンス無線周波数スペクトル帯域におけるＬＴＥ／ＬＴＥ−Ａアップリンク通信のための通信リンク１２５において使用され得る。
【００３４】
[0050]図２は、本開示の様々な態様による、アンライセンス無線周波数スペクトル帯域を使用する異なるシナリオの下でＬＴＥ／ＬＴＥ−Ａが展開されるワイヤレス通信システム２００を示す。より詳細には、図２は、ＬＴＥ／ＬＴＥ−Ａがアンライセンス無線周波数スペクトル帯域を使用して展開される、補助ダウンリンクモード、キャリアアグリゲーションモード、およびスタンドアロンモードの例を示す。ワイヤレス通信システム２００は、図１を参照しながら説明されたワイヤレス通信システム１００の部分の一例であり得る。さらに、第１の基地局２０５および第２の基地局２１０は、図１を参照しながら説明された基地局１０５のうちの１つまたは複数の基地局の態様の例であり得、第１のワイヤレスデバイス２５５、第２のワイヤレスデバイス２６０、第３のワイヤレスデバイス２６５、および第４のワイヤレスデバイス２７０は、図１を参照しながら説明されたワイヤレスデバイス１１５のうちの１つまたは複数のワイヤレスデバイスの態様の例であり得る。
【００３５】
[0051]ワイヤレス通信システム２００における補助ダウンリンクモードの例では、第１の基地局２０５は、ダウンリンクチャネル２２０を使用して第１のワイヤレスデバイス２５５にＯＦＤＭＡ波形を送信し得る。ダウンリンクチャネル２２０は、アンライセンス無線周波数スペクトル帯域における周波数Ｆ１に関連付けられ得る。第１の基地局２０５は、第１の双方向リンク２２５を使用して第１のワイヤレスデバイス２５５にＯＦＤＭＡ波形を送信し得、第１の双方向リンク２２５を使用して第１のワイヤレスデバイス２５５からＳＣ−ＦＤＭＡ波形を受信し得る。第１の双方向リンク２２５は、ライセンス無線周波数スペクトル帯域における周波数Ｆ４に関連付けられ得る。アンライセンス無線周波数スペクトル帯域におけるダウンリンクチャネル２２０およびライセンス無線周波数スペクトル帯域における第１の双方向リンク２２５は、同時に動作し得る。ダウンリンクチャネル２２０は、第１の基地局２０５にダウンリンク容量のオフロードを提供し得る。いくつかの例では、ダウンリンクチャネル２２０は、（たとえば、１つのワイヤレスデバイスに宛てられた）ユニキャストサービスのために、または（たとえば、いくつかのワイヤレスデバイスに宛てられた）マルチキャストサービスのために使用され得る。このシナリオは、ライセンス無線周波数スペクトルを使用し、トラフィックまたはシグナリングの輻輳の一部を緩和する必要がある、任意のサービスプロバイダ（たとえば、モバイルネットワーク事業者（ＭＮＯ））に対して生じ得る。
【００３６】
[0052]ワイヤレス通信システム２００におけるキャリアアグリゲーションモードの１つの例では、第１の基地局２０５は、第２の双方向リンク２３０を使用して第２のワイヤレスデバイス２６０にＯＦＤＭＡ波形を送信し得、第２の双方向リンク２３０を使用して第２のワイヤレスデバイス２６０からＯＦＤＭＡ波形、ＳＣ−ＦＤＭＡ波形、またはリソースブロックインターリーブＦＤＭＡ波形を受信し得る。第２の双方向リンク２３０は、アンライセンス無線周波数スペクトル帯域における周波数Ｆ１に関連付けられ得る。第１の基地局２０５はまた、第３の双方向リンク２３５を使用して第２のワイヤレスデバイス２６０にＯＦＤＭＡ波形を送信し得、第３の双方向リンク２３５を使用して第２のワイヤレスデバイス２６０からＳＣ−ＦＤＭＡ波形を受信し得る。第３の双方向リンク２３５は、ライセンス無線周波数スペクトル帯域における周波数Ｆ２に関連付けられ得る。第２の双方向リンク２３０は、第１の基地局２０５にダウンリンク容量およびアップリンク容量のオフロードを提供し得る。上記で説明された補助ダウンリンクのように、このシナリオは、ライセンス無線周波数スペクトルを使用し、トラフィックまたはシグナリングの輻輳の一部を緩和する必要がある、任意のサービスプロバイダ（たとえば、ＭＮＯ）に対して生じ得る。
【００３７】
[0053]ワイヤレス通信システム２００におけるキャリアアグリゲーションモードの別の例では、第１の基地局２０５は、第４の双方向リンク２４０を使用して第３のワイヤレスデバイス２６５にＯＦＤＭＡ波形を送信し得、第４の双方向リンク２４０を使用して第３のワイヤレスデバイス２６５からＯＦＤＭＡ波形、ＳＣ−ＦＤＭＡ波形、またはリソースブロックインターリーブ波形を受信し得る。第４の双方向リンク２４０は、アンライセンス無線周波数スペクトル帯域における周波数Ｆ３に関連付けられ得る。第１の基地局２０５はまた、第５の双方向リンク２４５を使用して第３のワイヤレスデバイス２６５にＯＦＤＭＡ波形を送信し得、第５の双方向リンク２４５を使用して第３のワイヤレスデバイス２６５からＳＣ−ＦＤＭＡ波形を受信し得る。第５の双方向リンク２４５は、ライセンス無線周波数スペクトル帯域における周波数Ｆ２に関連付けられ得る。第４の双方向リンク２４０は、第１の基地局２０５にダウンリンク容量およびアップリンク容量のオフロードを提供し得る。この例および上記で与えられた例は説明のために提示され、容量オフロードのためにライセンス無線周波数スペクトルにおけるＬＴＥ／ＬＴＥ−Ａとアンライセンスアクセス無線周波数スペクトルにおけるＬＴＥ／ＬＴＥ−Ａを組み合わせる他の同様の動作モードまたは展開シナリオが存在し得る。
【００３８】
[0054]上記で説明されたように、アンライセンスアクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａライセンス無線周波数スペクトル帯域へのアクセス権を有する従来のＭＮＯである。これらのサービスプロバイダの場合、運用上の例は、ライセンス無線周波数スペクトル帯域上のＬＴＥ／ＬＴＥ−Ａプライマリコンポーネントキャリア（ＰＣＣ）と、アンライセンス無線周波数スペクトル帯域上の少なくとも１つのセカンダリコンポーネントキャリア（ＳＣＣ）とを使用するブートストラップモード（たとえば、補助ダウンリンク、キャリアアグリゲーション）を含み得る。
【００３９】
[0055]キャリアアグリゲーションモードでは、データおよび制御は、たとえば、（たとえば、第１の双方向リンク２２５、第３の双方向リンク２３５、および第５の双方向リンク２４５を介して）ライセンス無線周波数スペクトルにおいて通信され得るが、データは、たとえば、（たとえば、第２の双方向リンク２３０および第４の双方向リンク２４０を介して）アンライセンス無線周波数スペクトル帯域において通信され得る。アンライセンスアクセス無線周波数スペクトルを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００４０】
[0056]ワイヤレス通信システム２００におけるスタンドアロンモードの１つの例では、第２の基地局２１０は、双方向リンク２５０を使用して第４のワイヤレスデバイス２７０にＯＦＤＭＡ波形を送信し得、双方向リンク２５０を使用して第４のワイヤレスデバイス２７０からＯＦＤＭＡ波形、ＳＣ−ＦＤＭＡ波形、またはリソースブロックインターリーブＦＤＭＡ波形を受信し得る。双方向リンク２５０は、アンライセンス無線周波数スペクトル帯域における周波数Ｆ３に関連付けられ得る。スタンドアロンモードは、スタジアム内アクセス（たとえば、ユニキャスト、マルチキャスト）などの非従来型ワイヤレスアクセスシナリオにおいて使用され得る。この動作モードのためのサービスプロバイダのタイプの一例は、ライセンス無線周波数スペクトル帯域へのアクセスを有しない、スタジアム所有者、ケーブル会社、イベント主催者、ホテル、企業、または大会社であり得る。
【００４１】
[0057]いくつかの例では、図１または図２を参照しながら説明された基地局１０５、２０５、または２１０のうちの１つ、あるいは、図１または図２を参照しながら説明されたワイヤレスデバイス１１５、２５５、２６０、２６５、または２７０のうちの１つなどの送信装置は、アンライセンス無線周波数スペクトル帯域のチャネルに（たとえば、アンライセンス無線周波数スペクトル帯域の物理チャネルに）アクセスするためにゲーティング間隔を使用し得る。ゲーティング間隔は、欧州電気通信標準化機構（ＥＴＳＩ）（ＥＮ３０１  ８９３）において指定されているＬＢＴプロトコルに少なくとも部分的に基づくＬＢＴプロトコルの競合ベースプロトコルの適用を定義し得る。ＬＢＴプロトコルの適用を定義するゲーティング間隔を使用するとき、ゲーティング間隔は、送信装置がクリアチャネルアセスメント（ＣＣＡ）などの競合手順をいつ実施する必要があるかを示し得る。ＣＣＡの結果は、アンライセンス無線周波数スペクトル帯域のチャネルが（ＬＢＴ無線フレームまたはＣＣＡフレームとも呼ばれる）ゲーティング間隔のために利用可能であるか使用中であるかを送信デバイスに示し得る。チャネルが対応するＬＢＴ無線フレームのために利用可能（たとえば、使用のために「クリア」）であることをＣＣＡが示すとき、送信装置は、ＬＢＴ無線フレームの一部または全部の間にアンライセンス無線周波数スペクトル帯域のチャネルを予約または使用し得る。そのような技法に従って動作する送信装置は、いくつかの例では、フレームベース機器（ＦＢＥ）と呼ばれることがある。チャネルが利用可能ではないこと（たとえば、チャネルが別の装置によって使用中であるか予約済みであること）をＣＣＡが示すとき、送信装置は、ＬＢＴ無線フレームの間にチャネルを使用することを妨げられ得る。
【００４２】
[0058]多くの場合、特に、様々なチャネル選択技法、負荷ベース機器（ＬＢＥ）技法またはＦＢＥ技法が実装されるとき、ＣＣＡが失敗する確率は比較的小さい。ただし、いくつかの場合、ＣＣＡが失敗し得る確率は、特定のワイヤレスデバイス１１５が輻輳したエリアにあるか、または競合ベースのチャネルにアクセスしようとしている他の送信機に比較的近いことがあるときなどに、比較的高いことがある。そのような場合、複数のＣＣＡの失敗は、いくつかの制御信号が送信されないことを引き起こすことがあり、このことは、影響を受けるデバイスに対するスループットの低下、または完全な枯渇さえも引き起こす可能性がある。そのような制御信号は、いくつか例を挙げると、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）を含み得る。そのような場合、様々な例は、様々な例について上記で説明されたものおよび以下でより詳細に説明されるものなどの、成功するＣＣＡの確率を高めるための技法を提供し得る。
【００４３】
[0059]場合によっては、送信装置が周期的にゲーティング間隔を生成し、周期的間隔の少なくとも１つの境界とゲーティング間隔の少なくとも１つの境界を同期させることが有用であり得る。たとえば、アンライセンス無線周波数スペクトル帯域におけるセルラーダウンリンクのための周期的なゲーティング間隔を生成し、セルラーダウンリンクに関連付けられた周期的間隔（たとえば、周期的ＬＴＥ／ＬＴＥ−Ａ無線間隔）の少なくとも１つの境界と周期的なゲーティング間隔の少なくとも１つの境界を同期させることが有用であり得る。そのような同期の例が図３に示されている。
【００４４】
[0060]図３は、本開示の様々な態様による、アンライセンス無線周波数スペクトル帯域におけるセルラーダウンリンクのためのゲーティング間隔（またはＬＢＴ無線フレーム）の例３００を示す。第１のゲーティング間隔３０５、第２のゲーティング間隔３１５、または第３のゲーティング間隔３２５は、アンライセンス無線周波数スペクトル帯域を介した送信をサポートするｅＮＢまたはワイヤレスデバイスによって周期的なゲーティング間隔として使用され得る。そのようなｅＮＢの例は、図１または図２を参照しながら説明された基地局１０５、２０５、または２１０を含み得、そのようなワイヤレスデバイスの例は、図１または図２を参照しながら説明されたワイヤレスデバイス１１５、２５５、２６０、２６５、または２７０を含み得る。第１のゲーティング間隔３０５、第２のゲーティング間隔３１５、または第３のゲーティング間隔３２５は、いくつかの例では、図１または図２を参照しながら説明されたワイヤレス通信システム１００または２００とともに使用され得る。
【００４５】
[0061]例として、第１のゲーティング間隔３０５の持続時間は、セルラーダウンリンクに関連付けられた周期的間隔のＬＴＥ／ＬＴＥ−Ａ無線フレーム３１０の持続時間に等しい（またはそれにほぼ等しい）ことが示されている。いくつかの例では、「ほぼ等しい」は、第１のゲーティング間隔３０５の持続時間が周期的間隔の持続時間のサイクリックプレフィックス（ＣＰ）持続時間内にあることを意味する。第１のゲーティング間隔３０５の少なくとも１つの境界は、ＬＴＥ／ＬＴＥ−Ａ無線フレームＮ−１〜Ｎ＋１を含む周期的間隔の少なくとも１つの境界と同期し得る。場合によっては、第１のゲーティング間隔３０５は、周期的間隔のフレーム境界とアライメントされた境界を有し得る。他の場合には、第１のゲーティング間隔３０５は、周期的間隔のフレーム境界と同期しているが、それからオフセットされている境界を有し得る。たとえば、第１のゲーティング間隔３０５の境界は、周期的間隔のサブフレーム境界と整合されるか、または周期的間隔のサブフレーム中間点境界（subframe midpoint boundaries）（たとえば、特定のサブフレームの中間点）とアライメントされ得る。
【００４６】
[0062]場合によっては、周期的間隔は、ＬＴＥ／ＬＴＥ−Ａ無線フレームＮ−１〜Ｎ＋１を含み得る。各ＬＴＥ／ＬＴＥ−Ａ無線フレーム３１０は、たとえば、１０ミリ秒の持続時間を有し得、第１のゲーティング間隔３０５も、１０ミリ秒の持続時間を有し得る。これらの場合、第１のゲーティング間隔３０５の境界は、ＬＴＥ／ＬＴＥ−Ａ無線フレームのうちの１つ（たとえば、ＬＴＥ／ＬＴＥ−Ａ無線フレーム（Ｎ））の境界（たとえば、フレーム境界、サブフレーム境界、またはサブフレーム中間点境界）と同期し得る。
【００４７】
[0063]図４は、本開示の様々な態様による、アンライセンス無線周波数スペクトル帯域を介したワイヤレス通信４１０の例４００を示す。図３を参照しながら説明された第１のゲーティング間隔３０５などのゲーティング間隔に対応し得るＬＢＴ無線フレーム４１５は、１０ミリ秒の持続時間を有し、いくつかのダウンリンクサブフレーム４２０と、いくつかのアップリンクサブフレーム４２５と、２つのタイプのスペシャルサブフレーム、Ｓサブフレーム４３０およびＳ’サブフレーム４３５とを含み得る。Ｓサブフレーム４３０は、ダウンリンクサブフレーム４２０とアップリンクサブフレーム４２５との間の遷移を与え得るが、Ｓ’サブフレーム５３５は、アップリンクサブフレーム４２５とダウンリンクサブフレーム４２０との間の遷移を与え得る。Ｓ’サブフレーム４３５の間に、ダウンリンククリアチャネルアセスメント（ＤＣＣＡ）手順４４０は、ワイヤレス通信４１０が行われるチャネルをある時間期間の間予約するために、図１または図２を参照しながら説明された基地局１０５、２０５、または２１０のうちの１つまたは複数などの、１つまたは複数の基地局によって実施され得る。
【００４８】
[0064]ＤＣＣＡ手順（ならびにアップリンクＣＣＡ（ＵＣＣＡ）手順）は、アンライセンス無線周波数スペクトル帯域のチャネルを監視することと、チャネル上に存在するエネルギーの量を決定することとを含み得る。測定されたエネルギーがＣＣＡしきい値を下回る場合、別のデバイスがチャネルを使用しておらず、したがって、チャネルが使用できると決定され得る。測定されたエネルギーがＣＣＡしきい値を上回る場合、別の送信機がチャネルを使用して送信しており、したがって、チャネルが使用できないと決定され得る。ＣＣＡしきい値は、いくつかの例では、ＣＣＡしきい値レベル（ＴＬ）を
ＴＬ ＝ −７３＋（２３−ＰＨ）ｄＢｍ／ＭＨｚ
として設定するＥＴＳＩ４．９．２．１／４．９．２．２（規則５）に従って確立され得る。ここで、ＰHは、ＣＣＡを実施するデバイスの最大送信電力に対応する。ＴＬを決定するとき、デバイスはＰHを固定し、次いでＴＬを計算する。複数の送信アンテナを使用する例では、送信モードは、使用されるべきアンテナと、ビームフォーミングが使用されるべきかどうかとを指定し得、そのような場合、ＰHは、任意のビームフォーミング利得を加えた、アンテナ上のエネルギーの平均として設定され得る。
【００４９】
[0065]いくつかの例によれば、１つまたは複数のチャネルは、デバイス（たとえば、基地局またはユーザ機器）が特定のゲーティング間隔の間にＣＣＡを実施しないときでも、ＣＣＡ持続時間の間、デバイスによって監視され得る。デバイスは、１つまたは複数のＤＣＣＡ（またはＵＣＣＡ）持続時間の間の、または不連続送信／不連続受信（ＤＴＸ／ＤＲＸ）期間の間などのデバイスが送信していない他のインスタンスの間のチャネル状態を測定し得る。これらの時間期間の間の測定されたチャネル状態は、たとえば、累積分布関数（ＣＤＦ）などの１つまたは複数のチャネル統計値を決定するために使用され得る。ＣＤＦは、ランダムなデータサンプル（ｘ）の電圧がＫボルト未満である確率を推定するために使用され得、ここで、Ｋは、たとえば、典型的なＴＬに基づいて設定され得る。
【００５０】
[0066]チャネル統計値は、たとえば、チャネルが、ＣＣＡ  ＴＬにおいて利用できない比較的高い確率を有すると決定するために使用され得る。そのような場合、ＰHの値は、ＣＣＡ  ＴＬを高める、したがって、ＣＣＡ手順が成功する確率を高めるために調整され得る。基地局またはユーザ機器などのデバイスは、所望の統計値を決定するために使用され得る、１つもしくは複数のチャネルに対するまたは１つもしくは複数のアンテナポートに対するエネルギー測定値のログを維持し得る。そのような技法は、後続の送信がそれにおいて送信されるその電力を低減するが、チャネルアクセスを得る高められた可能性に基づいて、より多くの送信を可能にする。いくつかの例では、送信デバイスは、調整されていないより高い電力レベルでＰＳＳ、ＳＳＳ、ＭＩＢ、ＳＩＢ、ＣＲＳなどの制御信号の送信を継続し得、より低い電力レベルでデータを送信し得る。そのようにして、制御信号は、適切に受信されるより高い可能性を有し、データ送信は復号を行うための許容レベルで受信され得る。そのようなシステムにおいて動作するデバイスは、チャネル品質インジケータ（ＣＱＩ）計算を実施するときに、より高い送信電力制御信号を考慮し得、したがって、たとえば、不要なＭＣＳバックオフを回避するために、より低いデータ送信電力が考慮される。
【００５１】
[0067]上述のように、いくつかのＥＴＳＩ規則は、デバイスがクリアＣＣＡを有し、チャネルアクセスを得るためのしきい値レベルを確立し得る。特定の例では、ＰHは、エネルギー統計値に基づいて、およびＣＣＡ手順の間の測定されたエネルギーに基づいて直接設定され得る。いくつかの例では、ＰHは、
ＰＨ ＝ −７３＋Ｅ＋２３−ΔｄＢｍ／ＭＨｚ
に従って設定され得る。ここで、Ｅは、測定されたＣＣＡエネルギーであり、Δは、送信が隣接する送信デバイスに対する不当な干渉を与えないことを保証する緩衝またはマージンである。いくつかの例では、Δの値は、たとえば、０．５または１．０ｄＢであり得る。そのようにして、最大送信電力が、両立できる干渉レベルを他の送信デバイスに与えるレベルに設定されるので、送信デバイスは成功したＣＣＡを常に有する。いくつかの例では、そのようなデバイスは、チャネルアクセスにおける公平性を保証するために、周期的に送信機会を自発的に放棄するように設定され得る。ＰHの値は現在の測定されたエネルギー（Ｅ）に基づいて直接設定され得るので、関連する送信のＭＣＳはＣＣＡの結果に応じて変更され得る。そのような状況におけるハードウェアの遅延を低減するために、いくつかの例は、保持され得、送信に適したものであり得る複数の異なるＭＣＳを選択するためにＣＱＩ情報とともに使用され得る、上記で説明されたものなどのＣＣＡエネルギー統計値を使用し得る。ＭＣＳごとに１つの、複数のパケットが準備され得、送信されるパケットは、ＣＣＡの結果に基づいて選択され得る。他の例では、不均一誤り保護（ＵＥＰ：unequal error protection）を用いて１つのパケットが準備され得、復号されるデータの量は、決定された送信電力に依存する。
【００５２】
[0068]またさらなる例では、送信デバイスは、複数の送信アンテナを含み得る。いくつかの例では、チャネル状態は、複数のアンテナについて監視され得、統計値は、測定されたチャネル状態に基づいて決定され得る。ＣＣＡを実施するとき、デバイスは、どのアンテナがＣＣＡをパスする可能性が最も高いと決定されるかに基づいて、ＣＣＡ実施のための１つまたは複数のアンテナを選び得る。いくつかの例では、そのような複数のアンテナチャネル状態は、比較的低いドップラー特性を有する比較的低いモビリティ状況において使用され得る。他の例では、１つまたは複数のアンテナは、利用可能なアンテナの各々に対する現在のＣＣＡエネルギー測定値に基づいて選択され得る。
【００５３】
[0069]引き続き図４を参照すると、基地局によるＤＣＣＡ手順４４０の成功に続いて、基地局は、基地局がチャネルを予約したという指示を他の基地局または装置（たとえば、ワイヤレスデバイス、Ｗｉ−Ｆｉアクセスポイントなど）に提供するために、チャネル使用ビーコン信号（ＣＵＢＳ）４４５を送信し得る。ＣＵＢＳ４４５は、基地局による送信のためのチャネルだけではなく、そのＵＥによるアップリンク送信のためのチャネルも予約し得る。
【００５４】
[0070]Ｓ’サブフレーム４３５は、図４において０〜１３の番号を付された、１４個の直交周波数分割多重（ＯＦＤＭ）シンボルを含み得る。Ｓ’サブフレーム４３５の第１の部分、この例ではシンボル０〜５は、ＬＴＥ／ＬＴＥ−Ａ通信規格との互換性のために必要とされ得るサイレントＤＬ期間として、基地局によって使用され得る。したがって、基地局は、サイレントＤＬ期間の間にデータを送信しないことがあるが、ワイヤレスデバイスは、サイレントＤＬ期間の間にある程度の量のアップリンクデータを送信し得る。Ｓ’サブフレーム４３５の第２の部分は、ＤＣＣＡ手順４４０のために使用され得る。例４００では、Ｓ’サブフレーム４３５は、シンボル６〜１２中に含まれる７つのＤＣＣＡスロットを含む。異なるネットワーク事業者によるＤＣＣＡスロットの使用は、より効率的なシステム動作を行うように協調され得る。いくつかの例では、デバイスがＣＣＡ持続時間の間のチャネル状態を測定するとき、そのような測定値は、デバイスによって使用するために識別されたＤＣＣＡ（またはＵＣＣＡ）スロットの間に取得され得る。
【００５５】
[0071]図５は、本開示の様々な態様による、アンライセンス無線周波数スペクトル帯域を介したアップリンクワイヤレス通信５１０の例５００を示す。図３を参照しながら説明された第１のゲーティング間隔３０５などのゲーティング間隔に対応し得るＬＢＴ無線フレーム５１５、または図４を参照しながら説明されたＬＢＴ無線フレーム４１５は、１０ミリ秒の持続時間を有し、いくつかのダウンリンクサブフレーム５２０と、いくつかのアップリンクサブフレーム５２５と、２つのタイプのスペシャルサブフレーム（たとえば、Ｓサブフレーム５３０およびＳ’サブフレーム５３５とを含み得る。Ｓサブフレーム５３０は、ダウンリンクサブフレーム５２０とアップリンクサブフレーム５２５との間の遷移を与え得るが、Ｓ’サブフレーム５３５は、アップリンクサブフレーム５２５とダウンリンクサブフレーム５２０との間の遷移を与え得る。Ｓサブフレーム５３０の間に、アップリンクＣＣＡ（ＵＣＣＡ）手順５４０は、アップリンクワイヤレス通信５１０が行われるチャネルをある時間期間の間予約するために、図１または図２を参照しながら説明されたワイヤレスデバイス１１５、２５５、２６０、２６５、または２７０のうちの１つまたは複数などの、１つまたは複数のワイヤレスデバイスによって実施され得る。ワイヤレスデバイスによるＵＣＣＡ手順５４０の成功に続いて、ワイヤレスデバイスは、ワイヤレスデバイスがチャネルを予約したという指示を他のワイヤレスデバイスまたは装置（たとえば、基地局、Ｗｉ−Ｆｉアクセスポイントなど）に提供するために、ＣＵＢＳ５４５を送信し得る。いくつかの例では、図４に関して上記で説明されたものなどのＣＣＡ技法は、送信電力限界とＣＣＡしきい値レベルとを設定するために使用され得る。
【００５６】
[0072]ダウンリンクＣＣＡの場合と同様に、Ｓサブフレーム５３０は、図５において０〜１３の番号を付された、１４個のＯＦＤＭシンボルを含み得る。Ｓサブフレーム５３０の第１の部分、この例ではシンボル０〜３は、ダウンリンクパイロット時間スロット（ＤｗＰＴＳ）５５０として使用され得、Ｓサブフレーム５３０の第２の部分は、ガード期間（ＧＰ）５５５として使用され得る。Ｓサブフレーム５３０の第３の部分は、ＵＣＣＡ手順５４０のために使用され得る。例５００では、Ｓサブフレーム５３０は、シンボル６〜１２中に含まれる７つのＵＣＣＡスロットを含む。異なるワイヤレスデバイスによるＵＣＣＡスロットの使用は、より効率的なシステム動作を行うように協調され得る。
【００５７】
[0073]図６は、本開示の様々な態様による、ワイヤレス通信のための方法６００の一例を示すフローチャートである。明快にするために、方法６００は、図１または図２を参照しながら説明された基地局１０５、２０５、もしくは２１０、またはワイヤレスデバイス１１５、２５５、２６０、２６５、もしくは２７０のうちの１つまたは複数の態様を参照しながら以下で説明される。いくつかの例では、基地局またはワイヤレスデバイスは、以下で説明される機能を実施するように基地局またはワイヤレスデバイスの機能要素を制御するためのコードの１つまたは複数のセットを実行し得る。
【００５８】
[0074]ブロック６０５において、方法６００は、ＣＣＡ時間期間またはＤＲＸ／ＤＴＸ時間期間の間の１つまたは複数の持続時間についてのチャネル状態を測定することを含み得る。ブロック６１０において、測定値に基づいて、後続のＣＣＡ持続時間についてのチャネル状態が予測され得る。ブロック６１５において、予測されたチャネル状態がしきい値を超えるかどうかが決定される。たとえば、予測されたチャネル状態が、チャネルがＣＣＡしきい値限界を上回るエネルギーを有する可能性があることを示す場合、予測されたチャネル状態がしきい値を超えると決定され得る。
【００５９】
[0075]予測されたチャネル状態が、ブロック６１５の決定においてしきい値を超えない場合、ブロック６３０において示されるように、デフォルトＣＣＡしきい値レベルを使用してＣＣＡが実施される。そのようなデフォルトＣＣＡしきい値レベルは、たとえば、送信デバイスの最大電力ヘッドルームに基づいて設定され得る。予測されたチャネル状態が、ブロック６１５の決定においてしきい値を超える場合、ブロック６２５において示されるように、予測されたチャネル状態に基づいて、後続の送信のための最大送信電力に対して調整が行われる。そのような調整は、たとえば、成功するＣＣＡの確率を高めるために増加された、計算されたＣＣＡしきい値を与えるために行われ得る。ブロック６３０において、チャネルが送信に利用できるか利用できないかを決定するためのＣＣＡしきい値レベルに対して調整が行われる。ブロック６３５において、ＣＣＡは、調整されたＣＣＡしきい値レベルを使用して実施される。
【００６０】
[0076]ブロック６４０において、チャネルが送信に利用可能であることを示す、ＣＣＡがクリアであるかどうかが決定される。ＣＣＡがクリアしない場合、ブロック６０５における動作が実施される。ブロック６４０においてＣＣＡがクリアする場合、データは、ブロック６４５において示されるように、調整された最大送信電力を超えない電力で送信される。ブロック６５０において、制御信号は、調整された最大送信電力を超え得る電力で送信される。
【００６１】
[0077]図７は、本開示の様々な態様による、ワイヤレス通信のための方法７００の一例を示すフローチャートである。明快にするために、方法７００は、図１または図２を参照して説明された基地局１０５、２０５、もしくは２１０、またはワイヤレスデバイス１１５、２５５、２６０、２６５、もしくは２７０のうちの１つまたは複数の態様を参照しながら以下で説明される。いくつかの例では、基地局またはワイヤレスデバイスは、以下で説明される機能を実施するように基地局またはワイヤレスデバイスの機能要素を制御するためのコードの１つまたは複数のセットを実行し得る。
【００６２】
[0078]ブロック７０５において、方法７００は、ＣＣＡ手順の間のチャネル状態を測定することを含み得る。ブロック７１０において、測定されたチャネル状態に基づいて、後続の送信のための最大送信電力が調整される。ブロック７１５において、データは、調整された最大送信電力を超えない電力で送信される。ブロック７２０において、制御信号は、調整された最大送信電力を超え得る電力で送信される。そのようにして、制御信号は、適切な受信および復号の可能性を高める電力で送信され得るが、データ信号は、そのチャネルを使用して送信している他のデバイスに対する干渉目的で両立する電力レベルで送信される。
【００６３】
[0079]図８は、本開示の様々な態様による、送信デバイスが複数のアンテナを含み得る、ワイヤレス通信のための方法８００の一例を示すフローチャートである。明快にするために、方法８００は、図１または図２を参照しながら説明された基地局１０５、２０５、もしくは２１０、ワイヤレスデバイス１１５、２５５、２６０、２６５、もしくは２７０のうちの１つまたは複数の態様を参照しながら以下で説明される。いくつかの例では、基地局またはワイヤレスデバイスは、以下で説明される機能を実施するように基地局またはワイヤレスデバイスの機能要素を制御するためのコードの１つまたは複数のセットを実行し得る。
【００６４】
[0080]ブロック８０５において、方法８００は、ＣＣＡ時間期間またはＤＲＸ／ＤＴＸ時間期間の間の１つまたは複数の持続時間についての複数のアンテナにおけるチャネル状態を測定することを含み得る。ブロック８１０において、方法は、測定値に基づいて、後続のＣＣＡ持続時間についてのアンテナごとのチャネル状態を予測することを含む。そのような予測は、上記で説明されたものなどのチャネル測定値に関連付けられた統計値に基づき得る。ブロック８１５において、デバイスは、予測されたチャネル状態に基づいて、後続のＣＣＡにおいて使用するための１つまたは複数のアンテナを選択し得る。ブロック８２０において、ＣＣＡは、選択されたアンテナを使用して実施される。そのようにして、より好ましいチャネル状態を有する１つまたは複数のアンテナの選択によって、成功するＣＣＡの可能性が高まり得る。
【００６５】
[0081]図９は、本開示の様々な態様による、基地局９０５（たとえば、ｅＮＢの一部または全部を形成する基地局）とワイヤレスデバイス９１５との間のメッセージフロー９００を示す。いくつかの例では、基地局９０５は、図１または図２を参照しながら説明された基地局１０５、２０５、または２１０のうちの１つまたは複数の態様の一例であり得、ワイヤレスデバイス９１５は、図１または図２を参照しながら説明されたワイヤレスデバイス１１５、２５５、２６０、２６５、または２７０のうちの１つまたは複数の態様の一例であり得る。いくつかの例では、基地局９０５およびワイヤレスデバイス９１５は、アンライセンス無線周波数スペクトル帯域（たとえば、無線周波数スペクトル帯域がＷｉ−Ｆｉ用途などのアンライセンス用途のために少なくとも部分的に利用可能であるので、装置がアクセスを求めて競合する必要があり得る無線周波数スペクトル帯域）を介して補助ダウンリンクモード、キャリアアグリゲーションモード、またはスタンドアロンモードで通信するように構成され得る。
【００６６】
[0082]いくつかの例では、メッセージフロー９００は、ワイヤレスデバイス９１５がＣＣＡ時間期間またはＤＲＸ／ＤＴＸ時間期間の間の１つまたは複数の持続時間についてのチャネル状態を測定することから開始し得る。測定されたチャネル状態、または測定されたチャネル状態に関する統計値の送信９２５は、ワイヤレスデバイス９１５から基地局９０５に送信される。基地局９０５は、９３０において示されるように、ワイヤレスデバイス９１５のアップリンク送信に使用されるべき送信電力またはＭＣＳを決定し得る。基地局９０５は、決定された送信電力またはＭＣＳの送信９３５をワイヤレスデバイス９１５に送り得る。ブロック９４０において、ワイヤレスデバイスは、受信された送信電力またはＭＣＳに基づいて決定されたＣＣＡパラメータを使用して、ＣＣＡを実施し得る。この情報は、動的に送信され得るか、または半静的に送信され得る。送信９２５および９３５は、上記で説明されたのと同様に、アンライセンス無線周波数スペクトル帯域におけるチャネルを使用して送信され得るか、またはライセンス無線周波数スペクトル帯域において送信され得る。
【００６７】
[0083]図１０は、本開示の様々な態様による、ワイヤレス通信において使用するための装置１００５のブロック図１０００を示す。いくつかの例では、装置１００５は、基地局１０５、２０５、２１０、もしくは９０５のうちの１つもしくは複数の態様の一例であり得、または、装置は、図１、図２、もしくは図９を参照しながら説明されたワイヤレスデバイス１１５、２５５、２６０、２６５、２７０、もしくは９１５のうちの１つもしくは複数の態様の一例であり得る。装置１００５はまた、プロセッサであり得る。装置１００５は、受信機モジュール１０１０、ワイヤレス通信管理モジュール１０２０、または送信機モジュール１０３０を含み得る。これらの構成要素の各々は、互いと通信していることがある。
【００６８】
[0084]装置１００５の構成要素は、個々にまたは集合的に、ハードウェアにおいて適用可能な機能の一部または全部を実施するように適応された１つまたは複数の特定用途向け集積回路（ＡＳＩＣ）を使用して実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、メモリにおいて具現化され、１つまたは複数の汎用または特定用途向けプロセッサによって実行されるようにフォーマットされた、命令を用いて実装され得る。
【００６９】
[0085]いくつかの例では、受信機モジュール１０１０は、ライセンス無線周波数スペクトル帯域（たとえば、ＬＴＥ／ＬＴＥ−Ａ通信に使用可能なライセンス無線周波数スペクトル帯域など、無線周波数スペクトル帯域が特定の用途のために特定のユーザにライセンスされているので、装置がアクセスを求めて競合しない無線周波数スペクトル帯域）またはアンライセンス無線周波数スペクトル帯域（たとえば、無線周波数スペクトル帯域がＷｉ−Ｆｉ用途などのアンライセンス用途のために少なくとも部分的に利用可能であるので、装置がアクセスを求めて競合する必要があり得る無線周波数スペクトル帯域）を介して送信を受信するように動作可能な少なくとも１つの無線周波数（ＲＦ）受信機などの、少なくとも１つのＲＦ受信機を含み得る。いくつかの例では、ライセンス無線周波数スペクトル帯域またはアンライセンス無線周波数スペクトル帯域は、たとえば、図１、図２、図３、図４、図５、図６、図７、図８、または図９を参照しながら説明されたように、ＬＴＥ／ＬＴＥ−Ａ通信のために使用され得る。受信機モジュール１０１０は、図１または図２を参照しながら説明されたワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、ライセンス無線周波数スペクトル帯域またはアンライセンス無線周波数スペクトル帯域を介して確立され得る。
【００７０】
[0086]いくつかの例では、送信機モジュール１０３０は、ライセンス無線周波数スペクトル帯域またはアンライセンス無線周波数スペクトル帯域を介して送信するように動作可能な少なくとも１つのＲＦ送信機など、少なくとも１つのＲＦ送信機を含み得る。送信機モジュール１０３０は、図１または図２を参照しながら説明されたワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、ライセンス無線周波数スペクトル帯域またはアンライセンス無線周波数スペクトル帯域を介して確立され得る。
【００７１】
[0087]いくつかの例では、ワイヤレス通信管理モジュール１０２０は、装置１００５のためのワイヤレス通信の１つまたは複数の態様を管理するために使用され得る。いくつかの例では、ワイヤレス通信管理モジュール１０２０は、チャネル状態監視モジュール１０３５、ＣＣＡ管理モジュール１０４０、または送信電力調整モジュール１０４５を含み得る。これらの構成要素の各々は、互いと通信していることがある。
【００７２】
[0088]いくつかの例では、チャネル状態監視モジュール１０３５は、上記で説明されたのと同様に、ＣＣＡ持続時間の間またはＤＴＸ／ＤＲＸ時間期間の間の１つまたは複数のアンテナ上の１つまたは複数のチャネル状態を監視するために使用され得る。チャネル状態監視モジュール１０３５は、ＣＤＦなどの、監視されたチャネル／アンテナに関連付けられた統計値を生成し得る。ＣＣＡ管理モジュール１０４０は、上記で説明された、または以下で説明される様々な技法のいずれかに従ってＣＣＡ手順を実施し得る。送信電力調整モジュール１０４５は、送信されるデータのタイプに基づいておよびチャネル状態監視モジュール１０３５によって提供される様々なチャネル状態または統計値に基づいて行われる送信電力調整を含む、ＣＣＡの成功に続いてデータまたは制御送信に使用され得る送信電力に対する調整を行い得る。様々な監視されるチャネル状態、そこから導出され得る統計値、ＣＣＡ技法、および送信電力調整は、上記の様々な例に関して説明されており、簡潔のためにここでは繰り返されない。
【００７３】
[0089]図１１は、本開示の様々な態様による、ワイヤレス通信において使用するための装置１１０５のブロック図１１００を示す。いくつかの例では、装置１１０５は、基地局１０５、２０５、２１０、もしくは９０５のうちの１つもしくは複数の態様の一例であり得、装置は、図１、図２、もしくは図９を参照しながら説明されたワイヤレスデバイス１１５、２５５、２６０、２６５、２７０、もしくは９１５のうちの１つもしくは複数の態様の一例であり得、または、装置は、図１０を参照しながら説明された装置１００５の態様の一例であり得る。装置１１０５はまた、プロセッサであり得る。装置１１０５は、受信機モジュール１１１０、ワイヤレス通信管理モジュール１１２０、または送信機モジュール１１３０を含み得る。これらの構成要素の各々は、互いと通信していることがある。
【００７４】
[0090]装置１１０５の構成要素は、個々にまたは集合的に、ハードウェアにおいて適用可能な機能の一部または全部を実施するように適応された１つまたは複数のＡＳＩＣを使用して実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、メモリにおいて具現化され、１つまたは複数の汎用または特定用途向けプロセッサによって実行されるようにフォーマットされた、命令を用いて実装され得る。
【００７５】
[0091]いくつかの例では、受信機モジュール１１１０は、図１０を参照しながら説明された受信機モジュール１０１０の１つまたは複数の態様の一例であり得る。いくつかの例では、受信機モジュール１１１０は、ライセンス無線周波数スペクトル帯域（たとえば、ＬＴＥ／ＬＴＥ−Ａ通信に使用可能なライセンス無線周波数スペクトル帯域など、無線周波数スペクトル帯域が特定の用途のために特定のユーザにライセンスされているので、装置がアクセスを求めて競合しない無線周波数スペクトル帯域）またはアンライセンス無線周波数スペクトル帯域（たとえば、無線周波数スペクトル帯域がＷｉ−Ｆｉ用途などのアンライセンス用途のために少なくとも部分的に利用可能であるので、装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、ライセンス無線周波数スペクトル帯域またはアンライセンス無線周波数スペクトル帯域は、たとえば、図１、図２、図３、図４、図５、図６、図７、図８、または図９を参照しながら説明されたように、ＬＴＥ／ＬＴＥ−Ａ通信のために使用され得る。受信機モジュール１１１０は、場合によっては、ライセンス無線周波数スペクトル帯域およびアンライセンス無線周波数スペクトル帯域のための別個の受信機を含み得る。別個の受信機は、いくつかの例では、ライセンス無線周波数スペクトル帯域を介して通信するためのライセンス無線周波数スペクトル帯域用ＬＴＥ／ＬＴＥ−Ａ受信機モジュール１１１２、およびアンライセンス無線周波数スペクトル帯域を介して通信するためのアンライセンス無線周波数スペクトル帯域用ＬＴＥ／ＬＴＥ−Ａ受信機モジュール１１１４の形態をとり得る。受信機モジュール１１１０はまた、他の無線周波数スペクトル帯域を介して通信するためのまたは他の無線アクセス技術（たとえば、Ｗｉ−Ｆｉ）を介して通信するための受信機モジュールを含み得る。ライセンス無線周波数スペクトル帯域用ＬＴＥ／ＬＴＥ−Ａ受信機モジュール１１１２と、アンライセンス無線周波数スペクトル帯域用ＬＴＥ／ＬＴＥ−Ａ受信機モジュール１１１４とを含む、受信機モジュール１１１０は、図１または図２を参照しながら説明されたワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、ライセンス無線周波数スペクトル帯域またはアンライセンス無線周波数スペクトル帯域を介して確立され得る。
【００７６】
[0092]いくつかの例では、送信機モジュール１１３０は、ライセンス無線周波数スペクトル帯域またはアンライセンス無線周波数スペクトル帯域を介して送信するように動作可能な少なくとも１つのＲＦ送信機など、少なくとも１つのＲＦ送信機を含み得る。送信機モジュール１１３０は、場合によっては、ライセンス無線周波数スペクトル帯域およびアンライセンス無線周波数スペクトル帯域のための別個の送信機を含み得る。別個の送信機は、いくつかの例では、ライセンス無線周波数スペクトル帯域を介して通信するためのライセンス無線周波数スペクトル帯域用ＬＴＥ／ＬＴＥ−Ａ送信機モジュール１１３２、およびアンライセンス無線周波数スペクトル帯域を介して通信するためのアンライセンス無線周波数スペクトル帯域用ＬＴＥ／ＬＴＥ−Ａ送信機モジュール１１３４の形態をとり得る。送信機モジュール１１３０はまた、他の無線周波数スペクトル帯域を介して通信するための、または他の無線アクセス技術（たとえば、Ｗｉ−Ｆｉ）を介して通信するための送信機モジュールを含み得る。ライセンス無線周波数スペクトル帯域用ＬＴＥ／ＬＴＥ−Ａ送信機モジュール１１３２と、アンライセンス無線周波数スペクトル帯域用ＬＴＥ／ＬＴＥ−Ａ送信機モジュール１１３４とを含む、送信機モジュール１１３０は、図１または図２を参照しながら説明されたワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、ライセンス無線周波数スペクトル帯域またはアンライセンス無線周波数スペクトル帯域を介して確立され得る。
【００７７】
[0093]いくつかの例では、ワイヤレス通信管理モジュール１１２０は、装置１１０５のためのワイヤレス通信の１つまたは複数の態様を管理するために使用され得る。いくつかの例では、ワイヤレス通信管理モジュール１１２０は、図１０を参照しながら説明されたワイヤレス通信管理モジュール１０２０の１つまたは複数の態様の一例であり得る。いくつかの例では、ワイヤレス通信管理モジュール１１２０は、アンテナおよびチャネル状態監視モジュール１１２５、ＣＣＡ管理モジュール１１３５、送信電力調整モジュール１１４０、またはアンテナ選択モジュール１１４５を含み得る。これらの構成要素の各々は、互いと通信していることがある。
【００７８】
[0094]いくつかの例では、チャネル状態監視モジュール１０３５は、上記で説明されたのと同様に、ＣＣＡ持続時間の間またはＤＴＸ／ＤＲＸ時間期間の間の１つまたは複数のアンテナ上の１つまたは複数のチャネル状態を監視するために使用され得る。チャネル状態監視モジュール１０３５は、ＣＤＦなどの、監視されたチャネル／アンテナに関連付けられた統計値を生成し得る。ＣＣＡ管理モジュール１０４０は、上記で説明された、または以下で説明される様々な技法のいずれかに従ってＣＣＡ手順を実施し得る。送信電力調整モジュール１０４５は、送信されるデータのタイプに基づいてならびにアンテナおよびチャネル状態監視モジュール１０３５によって提供される様々なチャネル状態または統計値に基づいて行われる送信電力調整を含む、ＣＣＡの成功に続いてデータまたは制御送信に使用され得る送信電力に対する調整を行い得る。アンテナ選択モジュール１１４５は、アンテナおよびチャネル状態監視モジュール１０３５によって提供された情報に基づいて、１つまたは複数のアンテナのうちのどれがＣＣＡ手順と後続のデータまたは制御送信の両方に使用されるべきかを決定し得る。様々な監視されるチャネル状態、そこから導出され得る統計値、ＣＣＡ技法、送信電力調整、およびアンテナ選択は、上記の様々な例に関して説明されており、簡潔のためにここでは繰り返されない。
【００７９】
[0095]図１２は、本開示の様々な態様による、ワイヤレス通信において使用するための装置１２０５のブロック図１２００を示す。いくつかの例では、装置１２０５は、図１、図２、または図９を参照しながら説明された基地局１０５、２０５、２１０、または９０５のうちの１つまたは複数の態様の一例であり得る。装置１２０５はまた、プロセッサであり得る。装置１２０５は、受信機モジュール１２１０、基地局ＣＣＡ管理モジュール１２２０、または送信機モジュール１２３０を含み得る。これらの構成要素の各々は、互いと通信していることがある。
【００８０】
[0096]装置１２０５の構成要素は、個々にまたは集合的に、ハードウェアにおいて適用可能な機能の一部または全部を実施するように適応された１つまたは複数の特定用途向け集積回路（ＡＳＩＣ）を使用して実装され得る。代替的に、機能は、１つまたは複数の他の処理ユニット（またはコア）によって、１つまたは複数の集積回路上で実施され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、メモリにおいて具現化され、１つまたは複数の汎用または特定用途向けプロセッサによって実行されるようにフォーマットされた、命令を用いて実装され得る。
【００８１】
[0097]いくつかの例では、受信機モジュール１２１０は、ライセンス無線周波数スペクトル帯域（たとえば、ＬＴＥ／ＬＴＥ−Ａ通信に使用可能なライセンス無線周波数スペクトル帯域など、無線周波数スペクトル帯域が特定の用途のために特定のユーザにライセンスされているので、装置がアクセスを求めて競合しない無線周波数スペクトル帯域）またはアンライセンス無線周波数スペクトル帯域（たとえば、無線周波数スペクトル帯域がＷｉ−Ｆｉ用途などのアンライセンス用途のために少なくとも部分的に利用可能であるので、装置がアクセスを求めて競合する必要があり得る無線周波数スペクトル帯域）を介して送信を受信するように動作可能な少なくとも１つの無線周波数（ＲＦ）受信機などの、少なくとも１つのＲＦ受信機を含み得る。いくつかの例では、ライセンス無線周波数スペクトル帯域またはアンライセンス無線周波数スペクトル帯域は、たとえば、図１、図２、図３、図４、図５、図６、図７、図８、または図９を参照しながら説明されたように、ＬＴＥ／ＬＴＥ−Ａ通信に使用され得る。受信機モジュール１２１０は、図１または図２を参照しながら説明されたワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、ライセンス無線周波数スペクトル帯域またはアンライセンス無線周波数スペクトル帯域を介して確立され得る。
【００８２】
[0098]いくつかの例では、送信機モジュール１２３０は、ライセンス無線周波数スペクトル帯域またはアンライセンス無線周波数スペクトル帯域を介して送信するように動作可能な少なくとも１つのＲＦ送信機などの、少なくとも１つのＲＦ送信機を含み得る。送信機モジュール１２３０は、図１または図２を参照しながら説明されたワイヤレス通信システム１２０または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、ライセンス無線周波数スペクトル帯域またはアンライセンス無線周波数スペクトル帯域を介して確立され得る。
【００８３】
[0099]いくつかの例では、基地局ＣＣＡ管理モジュール１２２０は、装置１２０５のためのワイヤレス通信の１つまたは複数の態様を管理するために使用され得る。いくつかの例では、基地局ＣＣＡ管理モジュール１２２０は、チャネル状態受信モジュール１２３５、またはパラメータ／ＭＣＳ決定モジュール１２４０を含み得る。これらの構成要素の各々は、互いと通信していることがある。
【００８４】
[0100]いくつかの例では、チャネル状態受信モジュール１２３５は、上記で説明されたのと同様に、ＣＣＡ持続時間の間またはＤＴＸ／ＤＲＸ時間期間の間の１つまたは複数のアンテナ上の１つまたは複数のチャネル状態に対応し得る、ワイヤレスデバイスから送信されたチャネル状態を受信するために使用され得る。パラメータ／ＭＣＳ決定モジュール１２４０は、後続の送信のためにワイヤレスデバイスによって使用されるべきパラメータまたはＭＣＳに対する調整を行い得る。様々な監視されるチャネル状態、そこから導出され得る統計値、およびパラメータ／ＭＣＳ調整は、上記の様々な例に関して説明されており、簡潔のためにここでは繰り返されない。
【００８５】
[0101]図１３は、本開示の様々な態様による、ワイヤレス通信において使用するためのワイヤレスデバイス１３１５（たとえば、１つまたは複数の基地局と通信することが可能なＵＥ）のブロック図１３００を示す。ワイヤレスデバイス１３１５は、様々な構成を有し得、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなど含まれるか、またはその一部であり得る。ワイヤレスデバイス１３１５は、いくつかの例では、モバイル動作を容易にするために、小型バッテリーなどの内部電源（図示せず）を有し得る。いくつかの例では、ワイヤレスデバイス１３１５は、図１、図２、または図９を参照しながら説明されたワイヤレスデバイス１１５、２５５、２６０、２６５、２７０、または９１５のうちの１つまたは複数のワイヤレスデバイスの態様、あるいは、図１０または図１１を参照しながら説明された装置１００５または１１０５のうちの１つまたは複数の装置の態様の一例であり得る。ワイヤレスデバイス１３１５は、図１、図２、図３、図４、図５、図６、図７、図８、図９、図１０、または図１１を参照しながら説明されたワイヤレスデバイスの特徴および機能のうちの少なくともいくつかを実装するように構成され得る。
【００８６】
[0102]ワイヤレスデバイス１３１５は、デバイスプロセッサモジュール１３１０、デバイスメモリモジュール１３２０、（デバイストランシーバモジュール１３３０によって表される）少なくとも１つのデバイストランシーバモジュール、（デバイスアンテナ１３４０によって表される）少なくとも１つのデバイスアンテナ、またはデバイスワイヤレス通信管理モジュール１３６０を含み得る。これらの構成要素の各々は、１つまたは複数のバス１３３５を介して、直接または間接的に互いと通信していることがある。
【００８７】
[0103]デバイスメモリモジュール１３２０は、ランダムアクセスメモリ（ＲＡＭ）または読取り専用メモリ（ＲＯＭ）を含み得る。デバイスメモリモジュール１３２０は、実行されると、たとえば、ＣＣＡの実施を含む、ワイヤレス通信に関する本明細書で説明される様々な機能をデバイスプロセッサモジュール１３１０に実施させるように構成された命令を含んでいるコンピュータ可読のコンピュータ実行可能コード１３２５を記憶し得る。代替的に、コード１３２５は、デバイスプロセッサモジュール１３１０によって直接実行可能ではないことがあるが、（たとえば、コンパイルされ実行されると）本明細書で説明される様々な機能をワイヤレスデバイス１３１５に実施させるように構成され得る。
【００８８】
[0104]デバイスプロセッサモジュール１３１０は、インテリジェントハードウェアデバイス、たとえば、ＣＰＵ、マイクロコントローラ、ＡＳＩＣなどを含み得る。デバイスプロセッサモジュール１３１０は、デバイストランシーバモジュール１３３０を通じて受信された情報またはデバイスアンテナ１３４０を通じた送信のためにデバイストランシーバモジュール１３３０に送られるべき情報を処理し得る。デバイスプロセッサモジュール１３１０は、単独でまたはデバイスワイヤレス通信管理モジュール１３６０とともに、第１の無線周波数スペクトル帯域（たとえば、ＬＴＥ／ＬＴＥ−Ａ通信に使用可能なライセンス無線周波数スペクトル帯域など、無線周波数スペクトル帯域が特定の用途のために特定のユーザにライセンスされているので、装置がアクセスを求めて競合しないライセンス無線周波数スペクトル帯域）または第２の無線周波数スペクトル帯域（たとえば、無線周波数スペクトル帯域がＷｉ−Ｆｉ用途などのアンライセンス用途のために利用可能であるので、装置がアクセスを求めて競合する必要があり得るアンライセンス無線周波数スペクトル帯域）を介して通信すること（またはその帯域を介した通信を管理すること）の様々な態様を扱い得る。
【００８９】
[0105]デバイストランシーバモジュール１３３０は、パケットを変調し、変調されたパケットを送信のためにデバイスアンテナ１３４０に与え、デバイスアンテナ１３４０から受信されたパケットを復調するように構成されたモデムを含み得る。デバイストランシーバモジュール１３３０は、いくつかの例では、１つまたは複数のデバイス送信機モジュールおよび１つまたは複数の別個のデバイス受信機モジュールとして実装され得る。デバイストランシーバモジュール１３３０は、第１の無線周波数スペクトル帯域または第２の無線周波数スペクトル帯域における通信をサポートし得る。デバイストランシーバモジュール１３３０は、図１、図２、または図６を参照しながら説明された基地局１０５、２０５、２１０、または６０５のうちの１つまたは複数と、デバイスアンテナ１３４０を介して双方向に通信するように構成され得る。ワイヤレスデバイス１３１５は単一のデバイスアンテナを含み得るが、ワイヤレスデバイス１３１５が複数のデバイスアンテナ１３４０を含み得る例があり得る。
【００９０】
[0106]デバイス状態モジュール１３５０は、たとえば、無線リソース制御（ＲＲＣ）アイドル状態とＲＲＣ接続状態との間のワイヤレスデバイス１３１５の遷移を管理するために使用され得、１つまたは複数のバス１３３５を介して、直接または間接的にワイヤレスデバイス１３１５の他の構成要素と通信していることがある。デバイス状態モジュール１３５０またはそれの部分は、プロセッサを含み得、または、デバイス状態モジュール１３５０の機能の一部または全部は、デバイスプロセッサモジュール１３１０によってまたはデバイスプロセッサモジュール１３１０とともに実施され得る。
【００９１】
[0107]デバイスワイヤレス通信管理モジュール１３６０は、第１の無線周波数スペクトル帯域または第２の無線周波数スペクトル帯域を介したワイヤレス通信に関する、図１、図２、図３、図４、図５、図６、図７、図８、図９、図１０、図１１、または図１２を参照しながら説明された特徴または機能の一部または全部を実施または制御するように構成され得る。たとえば、デバイスワイヤレス通信管理モジュール１３６０は、第１の無線周波数スペクトル帯域または第２の無線周波数スペクトル帯域を使用して、補助ダウンリンクモード、キャリアアグリゲーションモード、またはスタンドアロンモードをサポートするように構成され得る。デバイスワイヤレス通信管理モジュール１３６０は、第１の無線周波数スペクトル帯域におけるＬＴＥ／ＬＴＥ−Ａ通信を扱うように構成されたライセンス無線周波数スペクトル帯域用デバイスＬＴＥ／ＬＴＥ−Ａモジュール１３６５と、第２の無線周波数スペクトル帯域におけるＬＴＥ／ＬＴＥ−Ａ通信を扱うように構成されたアンライセンス無線周波数スペクトル帯域用デバイスＬＴＥ／ＬＴＥ−Ａモジュール１３７０とを含み得る。デバイスワイヤレス通信管理モジュール１３６０またはそれの部分は、プロセッサを含み得、または、デバイスワイヤレス通信管理モジュール１３６０の機能の一部または全部は、デバイスプロセッサモジュール１３１０によってまたはデバイスプロセッサモジュール１３１０とともに実施され得る。いくつかの例では、デバイスワイヤレス通信管理モジュール１３６０は、図１０または図１１を参照しながら説明されたワイヤレス通信管理モジュール１０２０または１１２０の一例であり得る。
【００９２】
[0108]図１４は、本開示の様々な態様による、ワイヤレス通信において使用するための基地局１４０５（たとえば、ｅＮＢの一部または全部を形成する基地局）のブロック図１４００を示す。いくつかの例では、基地局１４０５は、図１、図２、図９、または図１２を参照しながら説明された基地局１０５、２０５、２１０、９０５、または１２０５の１つまたは複数の態様の一例であり得る。基地局１４０５は、図１、図２、図３、図４、図５、図６、図７、図８、または図９を参照しながら説明された基地局の特徴および機能のうちの少なくともいくつかを実装するかまたは容易にするように構成され得る。
【００９３】
[0109]基地局１４０５は、基地局プロセッサモジュール１４１０、基地局メモリモジュール１４２０、（基地局トランシーバモジュール１４５０によって表される）少なくとも１つの基地局トランシーバモジュール、（基地局アンテナ１４５５によって表される）少なくとも１つの基地局アンテナ、または基地局ワイヤレス通信管理モジュール１４６０を含み得る。基地局１４０５はまた、基地局通信モジュール１４３０またはネットワーク通信モジュール１４４０のうちの１つまたは複数を含み得る。これらの構成要素の各々は、１つまたは複数のバス１４３５を介して、直接または間接的に互いと通信していることがある。
【００９４】
[0110]基地局メモリモジュール１４２０は、ＲＡＭまたはＲＯＭを含み得る。基地局メモリモジュール１４２０は、実行されると、たとえば、アップリンク送信のスケジューリングを含む、ワイヤレス通信に関する本明細書で説明される様々な機能を基地局プロセッサモジュール１４１０に実施させるように構成された命令を含んでいるコンピュータ可読のコンピュータ実行可能コード１４２５を記憶し得る。代替的に、コード１４２５は、基地局プロセッサモジュール１４１０によって直接実行可能ではないことがあるが、（たとえば、コンパイルされ実行されると）本明細書で説明される様々な機能を基地局１４０５に実施させるように構成され得る。
【００９５】
[0111]基地局プロセッサモジュール１４１０は、インテリジェントハードウェアデバイス、たとえば、中央処理ユニット（ＣＰＵ）、マイクロコントローラ、ＡＳＩＣなどを含み得る。基地局プロセッサモジュール１４１０は、基地局トランシーバモジュール１４５０、基地局通信モジュール１４３０、またはネットワーク通信モジュール１４４０を通じて受信された情報を処理し得る。基地局プロセッサモジュール１４１０はまた、アンテナ１４５５を通じた送信のためにトランシーバモジュール１４５０に、１つまたは複数の他の基地局１４７５および１４８０への送信のために基地局通信モジュール１４３０に、または、図１を参照しながら説明されたコアネットワーク１３０の１つまたは複数の態様の一例であり得るコアネットワーク１４４５への送信のためにネットワーク通信モジュール１４４０に送られるべき情報を処理し得る。基地局プロセッサモジュール１４１０は、単独でまたは基地局ワイヤレス通信管理モジュール１４６０とともに、第１の無線周波数スペクトル帯域（たとえば、ＬＴＥ／ＬＴＥ−Ａ通信に使用可能なライセンス無線周波数スペクトル帯域など、無線周波数スペクトル帯域が特定の用途のために特定のユーザにライセンスされているので、装置がアクセスを求めて競合しないライセンス無線周波数スペクトル帯域）または第２の無線周波数スペクトル帯域（たとえば、無線周波数スペクトル帯域がＷｉ−Ｆｉ用途などのアンライセンス用途のために利用可能であるので、装置がアクセスを求めて競合する必要があり得るアンライセンス無線周波数スペクトル帯域）を介して通信すること（またはその帯域を介した通信を管理すること）の様々な態様を扱い得る。
【００９６】
[0112]基地局トランシーバモジュール１４５０は、パケットを変調し、変調されたパケットを送信のために基地局アンテナ１４５５に与え、基地局アンテナ１４５５から受信されたパケットを復調するように構成されたモデムを含み得る。基地局トランシーバモジュール１４５０は、いくつかの例では、１つまたは複数の基地局送信機モジュールおよび１つまたは複数の別個の基地局受信機モジュールとして実装され得る。基地局トランシーバモジュール１４５０は、第１の無線周波数スペクトル帯域または第２の無線周波数スペクトル帯域における通信をサポートし得る。基地局トランシーバモジュール１４５０は、図１、図２、図９、または図１３を参照しながら説明されたワイヤレスデバイス１１５、２５５、２６０、２６５、２７０、９１５、または１３１５のうちの１つまたは複数、あるいは、図１０または図１１を参照しながら説明された装置１００５または１１０５のうちの１つまたは複数など、１つまたは複数のワイヤレスデバイスまたは装置と、アンテナ１４５５を介して双方向に通信するように構成され得る。基地局１４０５は、たとえば、複数の基地局アンテナ１４５５（たとえば、アンテナアレイ）を含み得る。基地局１４０５は、ネットワーク通信モジュール１４４０を通じてコアネットワーク１４４５と通信し得る。基地局１４０５はまた、基地局通信モジュール１４３０を使用して、基地局１４７５および１４８０などの他の基地局と通信し得る。
【００９７】
[0113]基地局ワイヤレス通信管理モジュール１４６０は、ＣＣＡ動作に関する、図１、図２、図３、図４、図５、図６、図７、図８、または図９を参照しながら説明された特徴または機能の一部または全部を実施または制御するように構成され得る。基地局ワイヤレス通信管理モジュール１４６０は、第１の無線周波数スペクトル帯域におけるＬＴＥ／ＬＴＥ−Ａ通信を扱うように構成されたライセンス無線周波数スペクトル帯域用基地局ＬＴＥ／ＬＴＥ−Ａモジュール１４６５、または第２の無線周波数スペクトル帯域におけるＬＴＥ／ＬＴＥ−Ａ通信を扱うように構成されたアンライセンス無線周波数スペクトル帯域用基地局ＬＴＥ／ＬＴＥ−Ａモジュール１４７０を含み得る。基地局ワイヤレス通信管理モジュール１４６０またはそれの部分は、プロセッサを含み得、あるいは、基地局ワイヤレス通信管理モジュール１４６０の機能の一部または全部は、基地局プロセッサモジュール１４１０によってまたは基地局プロセッサモジュール１４１０とともに実施され得る。
【００９８】
[0114]図１５は、本開示の様々な態様による、ワイヤレス通信のための方法１５００の一例を示すフローチャートである。明快にするために、方法１５００は、図１、図２、図９、図１３、または図１４を参照しながら説明された基地局１０５、２０５、２１０、９０５、または１４０５、ワイヤレスデバイス１１５、２５５、２６０、２６５、２７０、９１５、または１３１５のうちの１つまたは複数の基地局またはワイヤレスデバイスの態様、あるいは、図１０、図１１または図１２を参照しながら説明された装置１００５、１１０５、または１２０５のうちの１つまたは複数の装置の態様を参照しながら以下で説明される。いくつかの例では、ワイヤレスデバイスは、以下で説明される機能を実施するようにワイヤレスデバイスの機能要素を制御するためのコードの１つまたは複数のセットを実行し得る。
【００９９】
[0115]ブロック１５０５において、方法１５００は、クリアチャネルアセスメント（ＣＣＡ）持続時間についてのチャネル状態を決定することを含み得る。ブロック１５０５における動作は、図１０、図１１、図１３、もしくは図１４を参照しながら説明されたワイヤレス通信管理モジュール１０２０、１１２０、１３６０、もしくは１４６０、または図１０、もしくは図１１を参照しながら説明されたチャネル状態監視モジュール１０３５もしくは１１３５を使用して実施され得る。
【０１００】
[0116]ブロック１５１０において、方法１５００は、決定に基づいて送信電力またはＣＣＡしきい値レベルのうちの少なくとも１つを調整することを含み得る。ブロック１５１０における動作は、図１０、図１１、図１２、または図１３を参照しながら説明されたワイヤレス通信管理モジュール１０２０、１１２０、１２２０、または１３６０を使用して実施され得る。
【０１０１】
[0117]このようにして、方法１５００はワイヤレス通信を提供し得る。方法１５００は一実装形態にすぎず、方法１５００の動作は、他の実装形態が可能であるように再構成されるかまたは別の方法で修正され得ることに留意されたい。
【０１０２】
[0118]図１６は、本開示の様々な態様による、ワイヤレス通信のための方法１６００の一例を示すフローチャートである。明快にするために、方法１６００は、図１、図２、図９、図１３、または図１４を参照しながら説明された基地局１０５、２０５、２１０、９０５、または１４０５、ワイヤレスデバイス１１５、２５５、２６０、２６５、２７０、９１５、または１３１５のうちの１つまたは複数の基地局またはワイヤレスデバイスの態様、あるいは、図１０、図１１、または図１２を参照しながら説明された装置１００５、１１０５、または１２０５のうちの１つまたは複数の装置の態様を参照しながら以下で説明される。いくつかの例では、ワイヤレスデバイスは、以下で説明される機能を実施するようにワイヤレスデバイスの機能要素を制御するためのコードの１つまたは複数のセットを実行し得る。
【０１０３】
[0119]ブロック１６０５において、方法１６００は、クリアチャネルアセスメント（ＣＣＡ）持続時間についてのチャネル状態を決定することを含み得る。ブロック１６１０において、方法１６００は、チャネル状態に基づいて送信電力を調整することを含み得る。ブロック１６１５において、方法１６００は、調整された送信電力に基づいてＣＣＡしきい値レベルを調整することを含み得る。ブロック１６２０において、ＣＣＡが実施され得る。ブロック１６２５において、チャネルが利用可能であることをＣＣＡが示すとき、調整された送信電力を使用してデータが送信され得る。ブロック１６３０において、チャネルが利用可能であることをＣＣＡが示すとき、調整されていない送信電力を使用して制御情報が送信され得る。
【０１０４】
[0120]このようにして、方法１６００はワイヤレス通信を提供し得る。方法１６００は一実装形態にすぎず、方法１６００の動作は、他の実装形態が可能であるように再構成されるかまたは別の方法で修正され得ることに留意されたい。
【０１０５】
[0121]図１７は、本開示の様々な態様による、ワイヤレス通信のための方法１７００の一例を示すフローチャートである。明快にするために、方法１７００は、図１、図２、図９、図１３、または図１４を参照しながら説明された基地局１０５、２０５、２１０、９０５、または１４０５、ワイヤレスデバイス１１５、２５５、２６０、２６５、２７０、９１５、または１３１５のうちの１つまたは複数の基地局またはワイヤレスデバイスの態様、あるいは、図１０、図１１、または図１２を参照しながら説明された装置１００５、１１０５、または１２０５のうちの１つまたは複数の装置の態様を参照しながら以下で説明される。いくつかの例では、ワイヤレスデバイスは、以下で説明される機能を実施するようにワイヤレスデバイスの機能要素を制御するためのコードの１つまたは複数のセットを実行し得る。
【０１０６】
[0122]ブロック１７０５において、方法１７００は、現在のクリアチャネルアセスメント（ＣＣＡ）についてのチャネル状態を決定することを含み得る。ブロック１７１０において、方法１７００は、チャネル状態に基づいてＣＣＡしきい値レベルを調整することを含み得る。ブロック１７１５において、方法１７００は、調整されたＣＣＡしきい値レベルに基づいて送信電力を調整することを含み得る。
【０１０７】
[0123]このようにして、方法１７００はワイヤレス通信を提供し得る。方法１７００は一実装形態にすぎず、方法１７００の動作は、他の実装形態が可能であるように再構成されるかまたは別の方法で修正され得ることに留意されたい。
【０１０８】
[0124]いくつかの例では、図１５、図１６、または図１７を参照しながら説明された方法１５００、１６００、または１７００のうちの１つまたは複数の方法の態様が組み合わされ得る。
【０１０９】
[0125]添付の図面に関して上記に記載された発明を実施するための形態は、例について説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味するものではない。発明を実施するための形態は、説明された技法の理解を与えるための具体的な詳細を含む。しかしながら、これらの技法は、これらの具体的な詳細なしに実践され得る。いくつかの事例では、説明された例の概念を不明瞭にすることを避けるために、よく知られている構造および装置は、ブロック図の形態で示されている。
【０１１０】
[0126]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１１１】
[0127]本明細書の本開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明される機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、またはステートマシンであり得る。プロセッサは、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成としても実装され得る。
【０１１２】
[0128]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして非一時的コンピュータ可読媒体上に記憶されるか、または非一時的コンピュータ可読媒体を介して送信され得る。他の例および実装形態は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が異なる物理ロケーションにおいて実装されるように分散されることを含めて、様々な位置に物理的に配置され得る。また、特許請求の範囲を含めて、本明細書で使用される場合、「のうちの少なくとも１つ」が後に続く項目の列挙中で使用される「または」は、たとえば、「Ａ、Ｂ、またはＣのうちの少なくとも１つ」の列挙がＡまたはＢまたはＣまたはＡＢまたはＡＣまたはＢＣまたはＡＢＣ（すなわち、ＡおよびＢおよびＣ）を意味するような選言的列挙を示す。
【０１１３】
[0129]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送もしくは記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、レーザーを用いてデータを光学的に再生する。上記の組合せも、コンピュータ可読媒体の範囲内に含まれる。
【０１１４】
[0130]本開示についての以上の説明は、当業者が本開示を作成または使用することができるように与えたものである。本開示への様々な修正は当業者に容易に明らかになり、本明細書で定義される一般原理は、本開示の趣旨または範囲から逸脱することなく、他の変形形態に適用され得る。本開示全体にわたって、「例」または「例示的」という用語は、一例または一事例を示すものであり、言及された例についてのいかなる選好も暗示または要求するものではない。したがって、本開示は、本明細書で説明される例および設計に限定されるべきではなく、本明細書で開示される原理および新規の特徴と一致する最も広い範囲を与えられるべきである。
以下に本願の出願当初の特許請求の範囲に記載された発明を付記する。
［Ｃ１］
ワイヤレス通信のための方法であって、
クリアチャネルアセスメント（ＣＣＡ）持続時間についてのチャネル状態を決定することと、
前記決定することに基づいて送信電力またはＣＣＡしきい値レベルのうちの少なくとも１つを調整することと
を備える方法。
［Ｃ２］
前記調整することが、
前記チャネル状態に基づいて前記送信電力を調整することと、
前記調整された送信電力に基づいて前記ＣＣＡしきい値レベルを調整することと
を備える、Ｃ１に記載の方法。
［Ｃ３］
前記調整することが、
前記チャネル状態に基づいて前記ＣＣＡしきい値レベルを調整することと、
前記調整されたＣＣＡしきい値レベルに基づいて前記送信電力を調整することと
を備える、Ｃ１に記載の方法。
［Ｃ４］
前記決定されたチャネル状態に基づいて変調およびコーディング方式（ＭＣＳ）を調整すること
をさらに備える、Ｃ１に記載の方法。
［Ｃ５］
調整されていない送信電力を使用して１つまたは複数の制御信号を送信することと、
前記調整された送信電力でデータ信号を送信することと
をさらに備える、Ｃ２に記載の方法。
［Ｃ６］
前記制御信号が、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）のうちの少なくとも１つを備える、Ｃ５に記載の方法。
［Ｃ７］
前記決定することが、
複数のＣＣＡ持続時間の間の前記チャネル状態を監視することと、
後続のＣＣＡタイムスロットについての予想されるチャネル状態を決定することと
を備える、Ｃ１に記載の方法。
［Ｃ８］
ＣＣＡを実施するために使用されるべき複数のアンテナのうちの少なくとも１つのアンテナを選択すること
をさらに備える、Ｃ１に記載の方法。
［Ｃ９］
前記選択されたアンテナを使用してＣＣＡを実施することと、
前記ＣＣＡの間のチャネル上のエネルギーが前記ＣＣＡしきい値レベルを超えるとき、前記チャネルが送信に利用できないと決定することと、
前記チャネル上の前記エネルギーが前記ＣＣＡしきい値レベル未満であるとき、前記チャネルが送信に利用できると決定することと
をさらに備える、Ｃ８に記載の方法。
［Ｃ１０］
前記決定することが、
複数のＣＣＡ持続時間の間の前記複数のアンテナの各々におけるチャネル状態を監視することと、
後続のＣＣＡ持続時間についての監視されたアンテナごとの予想されるチャネル状態を決定することと
を備える、Ｃ８に記載の方法。
［Ｃ１１］
前記決定することが、
複数のＣＣＡ持続時間の間の複数のチャネル状態測定値に基づいて、前記チャネル状態についての少なくとも１つの統計値を決定すること
を備える、Ｃ１に記載の方法。
［Ｃ１２］
前記少なくとも１つの統計値が、累積分布関数（ＣＤＦ）を含む、Ｃ１１に記載の方法。
［Ｃ１３］
前記少なくとも１つの統計値を基地局に送信すること
をさらに備える、Ｃ１１に記載の方法。
［Ｃ１４］
前記調整することが、
アップリンク送信に使用されるべき、前記調整された送信電力、調整されたＣＣＡしきい値、または変調およびコーディング方式（ＭＣＳ）のうちの１つまたは複数を受信すること、ここにおいて、前記１つまたは複数の調整された送信電力、調整されたＣＣＡしきい値、またはＭＣＳが、半静的にまたは動的に受信される、
を備える、Ｃ１３に記載の方法。
［Ｃ１５］
ワイヤレス通信のための装置であって、
クリアチャネルアセスメント（ＣＣＡ）持続時間についてのチャネル状態を決定するための手段と、
前記決定することに基づいて送信電力またはＣＣＡしきい値レベルのうちの少なくとも１つを調整するための手段と
を備える装置。
［Ｃ１６］
調整するための前記手段が、
前記チャネル状態に基づいて前記送信電力を調整するための手段と、
前記調整された送信電力に基づいて前記ＣＣＡしきい値レベルを調整するための手段と
を備える、Ｃ１５に記載の装置。
［Ｃ１７］
調整するための前記手段が、
前記チャネル状態に基づいて前記ＣＣＡしきい値レベルを調整するための手段と、
前記調整されたＣＣＡしきい値レベルに基づいて前記送信電力を調整するための手段と
を備える、Ｃ１５に記載の装置。
［Ｃ１８］
前記決定されたチャネル状態に基づいて変調およびコーディング方式（ＭＣＳ）を調整するための手段
をさらに備える、Ｃ１５に記載の装置。
［Ｃ１９］
調整されていない送信電力を使用して１つまたは複数の制御信号を送信し、前記調整された送信電力でデータ信号を送信するための手段
をさらに備える、Ｃ１６に記載の装置。
［Ｃ２０］
前記制御信号が、プライマリ同期信号（ＰＳＳ）、セカンダリ同期信号（ＳＳＳ）、マスタ情報ブロック（ＭＩＢ）、システム情報ブロック（ＳＩＢ）、または共通基準信号（ＣＲＳ）のうちの少なくとも１つを備える、Ｃ１９に記載の装置。
［Ｃ２１］
決定するための前記手段が、
複数のＣＣＡ持続時間の間の前記チャネル状態を監視するための手段と、
後続のＣＣＡタイムスロットについての予想されるチャネル状態を決定するための手段と
を備える、Ｃ１５に記載の装置。
［Ｃ２２］
ワイヤレス通信のための装置であって、
プロセッサと、
前記プロセッサに結合されたメモリとを備え、ここにおいて、前記プロセッサが、
クリアチャネルアセスメント（ＣＣＡ）持続時間についてのチャネル状態を決定し、
前記決定に基づいて送信電力またはＣＣＡしきい値レベルのうちの少なくとも１つを調整する
ように構成される、装置。
［Ｃ２３］
前記プロセッサが、
前記チャネル状態に基づいて前記送信電力を調整し、
前記調整された送信電力に基づいて前記ＣＣＡしきい値レベルを調整する
ようにさらに構成される、Ｃ２２に記載の装置。
［Ｃ２４］
前記プロセッサが、
前記チャネル状態に基づいて前記ＣＣＡしきい値レベルを調整し、
前記調整されたＣＣＡしきい値レベルに基づいて前記送信電力を調整する
ようにさらに構成される、Ｃ２２に記載の装置。
［Ｃ２５］
前記プロセッサが、前記決定されたチャネル状態に基づいて変調およびコーディング方式（ＭＣＳ）を調整するようにさらに構成される、Ｃ２２に記載の装置。
［Ｃ２６］
前記プロセッサが、調整されていない送信電力を使用して１つまたは複数の制御信号を送信し、前記調整された送信電力でデータ信号を送信するようにさらに構成される、Ｃ２３に記載の装置。
［Ｃ２７］
前記プロセッサが、
複数のＣＣＡ持続時間の間の前記チャネル状態を監視し、
後続のＣＣＡタイムスロットについての予想されるチャネル状態を決定する
ようにさらに構成される、Ｃ２２に記載の装置。
［Ｃ２８］
前記プロセッサが、ＣＣＡを実施するために使用されるべき複数のアンテナのうちの少なくとも１つのアンテナを選択するようにさらに構成される、Ｃ２２に記載の装置。
［Ｃ２９］
プロセッサによって実行可能な命令を記憶するための非一時的コンピュータ可読媒体であって、
クリアチャネルアセスメント（ＣＣＡ）持続時間についてのチャネル状態を決定するための命令と、
前記決定に基づいて送信電力またはＣＣＡしきい値レベルのうちの少なくとも１つを調整するための命令と
を備える非一時的コンピュータ可読媒体。
［Ｃ３０］
前記命令が、
前記チャネル状態に基づいて前記送信電力を調整するための命令と、
前記調整された送信電力に基づいて前記ＣＣＡしきい値レベルを調整するための命令と
に対して前記プロセッサによってさらに実行可能である、Ｃ２９に記載の非一時的コンピュータ可読媒体。
【図１】
0006377780.tif 000002
【図２】
0006377780.tif 000003
【図３】
0006377780.tif 000004
【図４】
0006377780.tif 000005
【図５】
0006377780.tif 000006
【図６】
0006377780.tif 000007
【図７】
0006377780.tif 000008
【図８】
0006377780.tif 000009
【図９】
0006377780.tif 000010
【図１０】
0006377780.tif 000011
【図１１】
0006377780.tif 000012
【図１２】
0006377780.tif 000013
【図１３】
0006377780.tif 000014
【図１４】
0006377780.tif 000015
【図１５】
0006377780.tif 000016
【図１６】
0006377780.tif 000017
【図１７】
0006377780.tif 000018